(57)【要約】  本出願の実施例は、物理ダウンリンク制御チャネル（ＰＤＣＣＨ）のブラインド検出のための方法及び端末機器に関する。前記方法は、端末機器の少なくとも１つの検索スペースにおけるＰＤＣＣＨの検索回数がブラインド検出の最大回数より大きい場合、前記端末機器は、前記少なくとも１つの検索スペースに含まれた、ｎ個の専用検索スペースにおけるＰＤＣＣＨの検索回数及び／または前記少なくとも１つの検索スペースに含まれた、ｍ個の共通検索スペースにおけるＰＤＣＣＨの検索回数を削減することであって、削減後の前記少なくとも１つの検索スペースにおけるＰＤＣＣＨの検索回数が前記ブラインド検出の最大回数より小さいか等しいことと、前記端末機器が、削減後の前記少なくとも１つの検索スペースにおけるＰＤＣＣＨの検索回数に従って、前記少なくとも１つの検索スペースに対してＰＤＣＣＨのブラインド検出を実行することとを含む。本願実施例のＰＤＣＣＨのブラインド検出のための方法及び端末機器により、端末機器はブラインド検出回数をより合理的に割り当てることができ、同様に端末機器のチャネル推定の複雑さを低減する問題を解決できる。
2021517757.tif 000002
【特許請求の範囲】
【請求項１】
物理ダウンリンク制御チャネル（ＰＤＣＣＨ）のブラインド検出のための方法であって、
端末機器の少なくとも１つの検索スペースにおけるＰＤＣＣＨの検索回数がブラインド検出の最大回数より大きい場合、前記端末機器は、前記少なくとも１つの検索スペースに含まれた、ｎ個の専用検索スペースにおけるＰＤＣＣＨの検索回数を削減し、及び／または前記少なくとも１つの検索スペースに含まれた、ｍ個の共通検索スペースにおけるＰＤＣＣＨの検索回数を削減することであって、削減後の前記少なくとも１つの検索スペースにおけるＰＤＣＣＨの検索回数が前記ブラインド検出の最大回数より小さいか等しく、ｎ及びｍは０より大きいか等しい整数であり、ｎ及びｍは同時に０ではないことと、
前記端末機器が、削減後の前記少なくとも１つの検索スペースにおけるＰＤＣＣＨの検索回数に従って、前記少なくとも１つの検索スペースに対してＰＤＣＣＨのブラインド検出を実行することとを含む、前記物理ダウンリンク制御チャネル（ＰＤＣＣＨ）のブラインド検出のための方法。
【請求項２】
ｎ及びｍは０より大きい正数であり、前記端末機器が、前記少なくとも１つの検索スペースに含まれた、ｎ個の専用検索スペースにおけるＰＤＣＣＨの検索回数を削減し、及び／または前記少なくとも１つの検索スペースに含まれた、ｍ個の共通検索スペースにおけるＰＤＣＣＨの検索回数を削減することは、
前記端末機器が、プリセットのルールに従って、前記ｎ個の専用検索スペースにおけるＰＤＣＣＨの検索回数を削減した後、削減後の前記少なくとも１つの検索スペースにおけるＰＤＣＣＨの検索回数が前記ブラインド検出の最大回数より大きい場合、前記端末機器は前記ｍ個の共通検索スペースにおけるＰＤＣＣＨの検索回数を削減すること、または、
削減後の前記少なくとも１つの検索スペースにおけるＰＤＣＣＨの検索回数が前記ブラインド検出の最大回数より小さいか等しい場合、前記端末機器は前記ｍ個の共通検索スペースにおけるＰＤＣＣＨの検索回数を削減することを実行しないことを含む、
請求項１に記載の物理ダウンリンク制御チャネルのブラインド検出のための方法。
【請求項３】
前記プリセットのルールは、
前記端末機器が、前記ｎ個の専用検索スペースにおける低レベルのＰＤＣＣＨ集約レベルに対応するＰＤＣＣＨの検索回数を優先的に削減することを含む、
請求項２に記載の物理ダウンリンク制御チャネルのブラインド検出のための方法。
【請求項４】
前記プリセットのルールは、
前記端末機器が、第１のプリセットの順番に従って、前記ｎ個の専用検索スペース内の異なるＰＤＣＣＨ集約レベルに対応するＰＤＣＣＨの検索回数を順次に削減することを含み、前記第１のプリセットの順番は、前記ｎ個の専用検索スペース内のＰＤＣＣＨ集約レベルが低い方から高い方への順番である、
請求項３に記載の物理ダウンリンク制御チャネルのブラインド検出のための方法。
【請求項５】
前記プリセットのルールは、
前記ｎ個の専用検索スペースで第１の専用検索スペースの第１のＰＤＣＣＨ集約レベルを削減した後、前記少なくとも１つの検索スペースにおけるＰＤＣＣＨの検索回数が前記ブラインド検出の最大回数より小さいか等しい条件を満たす場合、前記端末機器は、前記少なくとも１つの検索スペースにおけるＰＤＣＣＨの検索回数の削減に対する実行を停止することをさらに含み、前記第１の専用検索スペースは前記ｎ個の専用検索スペースのいずれか１つの専用検索スペースであり、前記第１のＰＤＣＣＨ集約レベルは前記ｎ個の専用検索スペースのいずれか１つのＰＤＣＣＨ集約レベルである、
請求項４に記載の物理ダウンリンク制御チャネルのブラインド検出のための方法。
【請求項６】
前記第１のプリセットの順番は、
同じＰＤＣＣＨ集約レベルを含む複数の専用検索スペースがある場合、前記複数の専用検索スペースはインデックス値の小さい方から大きい方への順番であることをさらに含む、
請求項４または５に記載の物理ダウンリンク制御チャネルのブラインド検出のための方法。
【請求項７】
前記プリセットのルールは、
前記端末機器が、前記ｎ個の専用検索スペース内の、インデックス値が小さい専用検索スペースにおけるＰＤＣＣＨの検索回数を優先的に削減することを含む、
請求項２に記載の物理ダウンリンク制御チャネルのブラインド検出のための方法。
【請求項８】
前記プリセットのルールは、
いずれか１つの専用検索スペースで、前記端末機器が、低レベルのＰＤＣＣＨ集約レベルに対応するＰＤＣＣＨの検索回数を優先的に削減することをさらに含む、
請求項７に記載の物理ダウンリンク制御チャネルのブラインド検出のための方法。
【請求項９】
前記プリセットのルールは、具体的に、
前記端末機器が、第２のプリセットの順番に従って、前記ｎ個の専用検索スペース内の異なる検索スペースに対応するＰＤＣＣＨの検索回数を削減することを含み、前記第２のプリセットの順番は、前記ｎ個の専用検索スペースのインデックス値の低い方から高い方への順番である、
請求項７または８に記載の物理ダウンリンク制御チャネルのブラインド検出のための方法。
【請求項１０】
前記プリセットのルールは、
前記ｎ個の専用検索スペースで第２の専用検索スペースの第２のＰＤＣＣＨ集約レベルを削減した後、前記少なくとも１つの検索スペースにおけるＰＤＣＣＨの検索回数が前記ブラインド検出の最大回数より小さいか等しい条件を満たす場合、前記端末機器が、前記少なくとも１つの検索スペースにおけるＰＤＣＣＨの検索回数の削減に対する実行を停止することをさらに含み、前記第２の専用検索スペースは前記ｎ個の専用検索スペースのいずれか１つの専用検索スペースであり、前記第２のＰＤＣＣＨ集約レベルは前記ｎ個の専用検索スペースのいずれか１つのＰＤＣＣＨ集約レベルである、
請求項９に記載の物理ダウンリンク制御チャネルのブラインド検出のための方法。
【請求項１１】
前記第２のプリセットの順番は、
同じ専用検索スペース内でＰＤＣＣＨ集約レベルが低い方から高い方への順番であることをさらに含む、
請求項９または１０に記載の物理ダウンリンク制御チャネルのブラインド検出のための方法。
【請求項１２】
前記ｎ個の専用検索スペース内の異なるＰＤＣＣＨ集約レベルが削減されるＰＤＣＣＨの検索回数は異なる、
請求項３ないし１１のいずれか１項に記載の物理ダウンリンク制御チャネルのブラインド検出のための方法。
【請求項１３】
前記ｎ個の専用検索スペース内で各ＰＤＣＣＨ集約レベルが削減されるＰＤＣＣＨの検索回数は事前に構成されている、
請求項３ないし１２のいずれか１項に記載の物理ダウンリンク制御チャネルのブラインド検出のための方法。
【請求項１４】
前記方法は、
前記端末機器が、ネットワーク機器によって送信された第１の指示情報を受信することであって、前記第１の指示情報は、前記ｎ個の専用検索スペース内で各ＰＤＣＣＨ集約レベルに対応する、削減されたＰＤＣＣＨの検索回数を指示することをさらに含む、
請求項３ないし１２のいずれか１項に記載の物理ダウンリンク制御チャネルのブラインド検出のための方法。
【請求項１５】
前記プリセットのルールは、
前記ｎ個の専用検索スペース内の第３のＰＤＣＣＨ集約レベルに対応するＰＤＣＣＨが占用する時間周波数リソースが、第４のＰＤＣＣＨ集約レベルに対応するＰＤＣＣＨが占用する時間周波数リソースと重複する場合、前記端末機器は前記第３のＰＤＣＣＨ集約レベル及び／または前記第４のＰＤＣＣＨ集約レベルに対応するＰＤＣＣＨの検索回数を０に削減することを含み、
前記第３のＰＤＣＣＨ集約レベルは前記第４のＰＤＣＣＨ集約レベルより低い、
請求項２に記載の物理ダウンリンク制御チャネルのブラインド検出のための方法。
【請求項１６】
前記方法は、
前記端末機器が、ネットワーク機器によって送信された第２の指示情報を受信することであって、前記第２の指示情報は、前記第３のＰＤＣＣＨ集約レベル及び／または前記第４のＰＤＣＣＨ集約レベルに対応するＰＤＣＣＨ検索回数を０に削減することをさらに含む、
請求項１５に記載の物理ダウンリンク制御チャネルのブラインド検出のための方法。
【請求項１７】
端末機器であって、
端末機器の少なくとも１つの検索スペースにおけるＰＤＣＣＨの検索回数がブラインド検出の最大回数より大きい場合、前記少なくとも１つの検索スペースに含まれた、ｎ個の専用検索スペースにおけるＰＤＣＣＨの検索回数を削減し、及び／または前記少なくとも１つの検索スペースに含まれた、ｍ個の共通検索スペースにおけるＰＤＣＣＨの検索回数を削減するように構成される処理ユニットであって、削減後の前記少なくとも１つの検索スペースにおけるＰＤＣＣＨの検索回数が前記ブラインド検出の最大回数より小さいか等しく、ｎ及びｍは０より大きいか等しい整数であり、ｎ及びｍは同時に０ではない処理ユニットと、
削減後の前記少なくとも１つの検索スペースにおけるＰＤＣＣＨの検索回数に従って、前記少なくとも１つの検索スペースに対してＰＤＣＣＨのブラインド検出を実行するように構成される検出ユニットとを含む、前記端末機器。
【請求項１８】
ｎ及びｍは０より大きい正数であり、前記処理ユニットは、具体的に、
プリセットのルールに従って、前記ｎ個の専用検索スペースにおけるＰＤＣＣＨの検索回数を削減した後、削減後の前記少なくとも１つの検索スペースにおけるＰＤＣＣＨの検索回数が前記ブラインド検出の最大回数より大きい場合、前記ｍ個の共通検索スペースにおけるＰＤＣＣＨの検索回数を削減し、または、
削減後の前記少なくとも１つの検索スペースにおけるＰＤＣＣＨの検索回数が前記ブラインド検出の最大回数より小さいか等しい場合、前記ｍ個の共通検索スペースにおけるＰＤＣＣＨの検索回数を削減することを実行しないように構成される、
請求項１７に記載の端末機器。
【請求項１９】
前記プリセットのルールは、
前記処理ユニットが、前記ｎ個の専用検索スペースにおける低レベルのＰＤＣＣＨ集約レベルに対応するＰＤＣＣＨの検索回数を優先的に削減することを含む、
請求項１８に記載の端末機器。
【請求項２０】
前記プリセットのルールは、
前記処理ユニットが、第１のプリセットの順番に従って、前記ｎ個の専用検索スペース内の異なるＰＤＣＣＨ集約レベルに対応するＰＤＣＣＨの検索回数を順次に削減することを含み、前記第１のプリセットの順番は、前記ｎ個の専用検索スペース内のＰＤＣＣＨ集約レベルが低い方から高い方への順番である、
請求項１９に記載の端末機器。
【請求項２１】
前記プリセットのルールは、
前記ｎ個の専用検索スペースで第１の専用検索スペースの第１のＰＤＣＣＨ集約レベルを削減した後、前記少なくとも１つの検索スペースにおけるＰＤＣＣＨの検索回数が前記ブラインド検出の最大回数より小さいか等しい条件を満たす場合、前記処理ユニットは、前記少なくとも１つの検索スペースにおけるＰＤＣＣＨの検索回数の削減に対する実行を停止することをさらに含み、前記第１の専用検索スペースは前記ｎ個の専用検索スペースのいずれか１つの専用検索スペースであり、前記第１のＰＤＣＣＨ集約レベルは前記ｎ個の専用検索スペースのいずれか１つのＰＤＣＣＨ集約レベルである、
請求項２０に記載の端末機器。
【請求項２２】
前記第１のプリセットの順番は、
同じＰＤＣＣＨ集約レベルを含む複数の専用検索スペースがある場合、前記複数の専用検索スペースはインデックス値の小さい方から大きい方への順番であることをさらに含む、
請求項２０または２１に記載の端末機器。
【請求項２３】
前記プリセットのルールは、
前記処理ユニットが、前記ｎ個の専用検索スペース内の、インデックス値が小さい専用検索スペースにおけるＰＤＣＣＨの検索回数を優先的に削減することを含む、
請求項１８に記載の端末機器。
【請求項２４】
前記プリセットのルールは、
いずれか１つの専用検索スペースで、前記端末機器が低レベルのＰＤＣＣＨ集約レベルに対応するＰＤＣＣＨの検索回数を優先的に削減することをさらに含む、
請求項２３に記載の端末機器。
【請求項２５】
前記プリセットのルールは、具体的に、
前記処理ユニットが、第２のプリセットの順番に従って、前記ｎ個の専用検索スペース内の異なる検索スペースに対応するＰＤＣＣＨの検索回数を削減することを含み、前記第２のプリセットの順番は、前記ｎ個の専用検索スペースのインデックス値の低い方から高い方への順番である、
請求項２３または２４に記載の端末機器。
【請求項２６】
前記プリセットのルールは、
前記ｎ個の専用検索スペースで第２の専用検索スペースの第２のＰＤＣＣＨ集約レベルを削減した後、前記少なくとも１つの検索スペースにおけるＰＤＣＣＨの検索回数が前記ブラインド検出の最大回数より小さいか等しい条件を満たす場合、前記処理ユニットが前記少なくとも１つの検索スペースにおけるＰＤＣＣＨの検索回数の削減に対する実行を停止することをさらに含み、前記第２の専用検索スペースは前記ｎ個の専用検索スペースのいずれか１つの専用検索スペースであり、前記第２のＰＤＣＣＨ集約レベルは前記ｎ個の専用検索スペースのいずれか１つのＰＤＣＣＨ集約レベルである、
請求項２５に記載の端末機器。
【請求項２７】
前記第２のプリセットの順番は、
同じ専用検索スペース内でＰＤＣＣＨ集約レベルが低い方から高い方への順番であることをさらに含む、
請求項２５または２６に記載の端末機器。
【請求項２８】
前記ｎ個の専用検索スペース内の異なるＰＤＣＣＨ集約レベルが削減されるＰＤＣＣＨの検索回数は異なる、
請求項１９ないし２７のいずれか１項に記載の端末機器。
【請求項２９】
前記ｎ個の専用検索スペース内で各ＰＤＣＣＨ集約レベルが削減されるＰＤＣＣＨの検索回数は事前に構成されている、
請求項１９ないし２８のいずれか１項に記載の端末機器。
【請求項３０】
前記端末機器は、
ネットワークによって送信された第１の指示情報を受信するように構成される受信ユニットであって、前記第１の指示情報は、前記ｎ個の専用検索スペース内で各ＰＤＣＣＨ集約レベルに対応する、削減されたＰＤＣＣＨの検索回数を指示する受信ユニットをさらに含む、
請求項１９ないし２８のいずれか１項に記載の端末機器。
【請求項３１】
前記プリセットのルールは、
前記ｎ個の専用検索スペース内の第３のＰＤＣＣＨ集約レベルに対応するＰＤＣＣＨが占用する時間周波数リソースが、第４のＰＤＣＣＨ集約レベルに対応するＰＤＣＣＨが占用する時間周波数リソースと重複する場合、前記処理ユニットは前記第３のＰＤＣＣＨ集約レベル及び／または前記第４のＰＤＣＣＨ集約レベルに対応するＰＤＣＣＨの検索回数を０に削減することを含み、
前記第３のＰＤＣＣＨ集約レベルは前記第４のＰＤＣＣＨ集約レベルより低い、
請求項１８に記載の端末機器。
【請求項３２】
前記端末機器は、
ネットワーク機器によって送信された第２の指示情報を受信するように構成される受信ユニットであって、前記第２の指示情報は、前記第３のＰＤＣＣＨ集約レベル及び／または前記第４のＰＤＣＣＨ集約レベルに対応するＰＤＣＣＨ検索回数を０に削減することをさらに含む、
請求項３１に記載の端末機器。
【発明の詳細な説明】
【技術分野】
【０００１】
本出願は、通信分野に関し、特に物理ダウンリンク制御チャネルのブラインド検出のための方法及び端末機器に関する。
【背景技術】
【０００２】
ロングタームエボリューション（ＬＴＥ：Ｌｏｎｇ  Ｔｅｒｍ  Ｅｖｏｌｕｔｉｏｎ）において、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）はシステムの制御領域で伝送し、システムの制御領域はシステム帯域幅全体を占用する。占用された領域のシンボル数は１〜４つのシンボルであり、シンボル数は、物理制御フォーマットインジケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）によって端末機器に通知できる。
【０００３】
５世代（５Ｇ：５ｔｈ  ｇｅｎｅｒａｔｉｏｎ）システムのニューラジオ（ＮＲ：ｎｅｗ  ｒａｄｉｏ）の技術的な議論に制御リソースセット（ＣＯＲＥＳＥＴ：Ｃｏｎｔｒｏｌ  ｒｅｓｏｕｒｃｅ  ｓｅｔ）の概念を導入し、ＣＯＲＥＳＥＴはＰＤＣＣＨ検索スペースが占用する時間領域リソース及び時間領域の長さを構成し、時間的にいくつかの直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを占用することなど、ネットワーク機器は端末機器に対して複数のＣＯＲＥＳＥＴを構成でき、ネットワーク機器が構成した検索スペースは特定のＣＯＲＥＳＥＴに関連付けられ、さらに検索スペースの関連パラメータを構成することにより検索スペースが占用する時間周波数リソースの位置を決定する。
【０００４】
端末機器が、ネットワーク機器により構成された検索スペースでＰＤＣＣＨをブラインド検出し、シングルキャリアまたはマルチキャリアなどに従って端末機器のブラインド検出回数を定義し、または、端末機器がタイムスロット粒度に基づくＰＤＣＣＨの検出をサポートするか、またはマイクロタイムスロット粒度に基づくＰＤＣＣＨの検出をサポートするかに従って、ブラインド検出回数を定義するなど、現在のＮＲシステムでの端末機器のブラインド検出機能を異なる次元から定義する。
【０００５】
ネットワーク機器は端末機器に対して複数の検索スペースを構成でき、各検索スペースで異なる集約レベルに対応する候補ＰＤＣＣＨの数を構成し、つまり異なる集約レベルに対応するＰＤＣＣＨのブラインド検出回数に対応する。より効果的にＰＤＣＣＨリソースを使用するために、ネットワーク機器は特定のタイムスロットに構成した候補ＰＤＣＣＨの総数が端末機器の検出能力を超えることができ、即ち端末機器が支持するブラインド検出の最大回数を超える場合であり、この場合、端末機器がどのようにＰＤＣＣＨのブラインド検出を効果的に実行するかは解決すべき問題である。
【発明の概要】
【発明が解決しようとする課題】
【０００６】
本出願は、端末機器のＰＤＣＣＨのブラインド検出回数を合理的に構成するために、ＰＤＣＣＨのブラインド検出のための方法及び端末機器を提供する。
【課題を解決するための手段】
【０００７】
第１の態様において、端末機器の少なくとも１つの検索スペースにおけるＰＤＣＣＨの検索回数がブラインド検出の最大回数より大きい場合、前記端末機器は、前記少なくとも１つの検索スペースに含まれた、ｎ個の専用検索スペースにおけるＰＤＣＣＨの検索回数を削減し、及び／または前記少なくとも１つの検索スペースに含まれた、ｍ個の共通検索スペースにおけるＰＤＣＣＨの検索回数を削減することであって、削減後の前記少なくとも１つの検索スペースにおけるＰＤＣＣＨの検索回数が前記ブラインド検出の最大回数より小さいか等しく、ｎ及びｍは０より大きいか等しい整数であり、ｎ及びｍは同時に０ではないことと、
前記端末機器が、削減後の前記少なくとも１つの検索スペースにおけるＰＤＣＣＨの検索回数に従って、前記少なくとも１つの検索スペースに対してＰＤＣＣＨのブラインド検出を実行することとを含む、ＰＤＣＣＨのブラインド検出のための方法を提供する。
【０００８】
したがって、本出願の実施例におけるＰＤＣＣＨのブラインド検出のための方法において、端末機器は少なくとも１つの検索スペースにおけるＰＤＣＣＨの検索回数がブラインド検出の最大回数より大きい場合、特定のプリセットのルールに従って、前記少なくとも１つの検索スペースにおけるＰＤＣＣＨの検索回数を、前記ＰＤＣＣＨの検索回数がブラインド検出の最大回数より小さいか等しくなるまで削減することにより、端末機器はブラインド検出回数をより合理的に割り当てることができ、同様に端末機器のチャネル推定の複雑さを低減する問題を解決できる。
【０００９】
第１の態様を参照すると、第１の態様の実施形態において、ｎ及びｍは０より大きい正数であり、前記端末機器が、前記少なくとも１つの検索スペースに含まれた、ｎ個の専用検索スペースにおけるＰＤＣＣＨの検索回数を削減し、及び／または前記少なくとも１つの検索スペースに含まれた、ｍ個の共通検索スペースにおけるＰＤＣＣＨの検索回数を削減することは、前記端末機器が、プリセットのルールに従って、前記ｎ個の専用検索スペースにおけるＰＤＣＣＨの検索回数を削減した後、削減後の前記少なくとも１つの検索スペースにおけるＰＤＣＣＨの検索回数が前記ブラインド検出の最大回数より大きい場合、前記端末機器は前記ｍ個の共通検索スペースにおけるＰＤＣＣＨの検索回数を削減すること、または、削減後の前記少なくとも１つの検索スペースにおけるＰＤＣＣＨの検索回数が前記ブラインド検出の最大回数より小さいか等しい場合、前記端末機器は前記ｍ個の共通検索スペースにおけるＰＤＣＣＨの検索回数を削減することを実行しないことを含む。
【００１０】
第１の態様及びその上記の実施形態に合わせて、第１の態様の別の実施形態において、前記プリセットのルールは、前記端末機器が、前記ｎ個の専用検索スペースにおける低レベルのＰＤＣＣＨ集約レベルに対応するＰＤＣＣＨの検索回数を優先的に削減することを含む。
【００１１】
第１の態様及びその上記の実施形態に合わせて、第１の態様の別の実施形態において、前記プリセットのルールは、前記端末機器が、第１のプリセットの順番に従って、前記ｎ個の専用検索スペース内の異なるＰＤＣＣＨ集約レベルに対応するＰＤＣＣＨの検索回数を順次に削減することを含み、前記第１のプリセットの順番は、前記ｎ個の専用検索スペース内のＰＤＣＣＨ集約レベルが低い方から高い方への順番である。
【００１２】
第１の態様及びその上記の実施形態に合わせて、第１の態様の別の実施形態において、前記プリセットのルールは、前記ｎ個の専用検索スペースで第１の専用検索スペースの第１のＰＤＣＣＨ集約レベルを削減した後、前記少なくとも１つの検索スペースにおけるＰＤＣＣＨの検索回数が前記ブラインド検出の最大回数より小さいか等しい条件を満たす場合、前記端末機器は、前記少なくとも１つの検索スペースにおけるＰＤＣＣＨの検索回数の削減に対する実行を停止することをさらに含み、前記第１の専用検索スペースは前記ｎ個の専用検索スペースのいずれか１つの専用検索スペースであり、前記第１のＰＤＣＣＨ集約レベルは前記ｎ個の専用検索スペースのいずれか１つのＰＤＣＣＨ集約レベルである。
【００１３】
第１の態様及びその上記の実施形態に合わせて、第１の態様の別の実施形態において、前記第１のプリセットの順番は、同じＰＤＣＣＨ集約レベルを含む複数の専用検索スペースがある場合、前記複数の専用検索スペースはインデックス値の小さい方から大きい方への順番であることをさらに含む。
【００１４】
第１の態様及びその上記の実施形態に合わせて、第１の態様の別の実施形態において、前記プリセットのルールは、前記端末機器が、前記ｎ個の専用検索スペース内の、インデックス値が小さい専用検索スペースにおけるＰＤＣＣＨの検索回数を優先的に削減することを含む。
【００１５】
第１の態様及びその上記の実施形態に合わせて、第１の態様の別の実施形態において、前記プリセットのルールは、いずれか１つの専用検索スペースにおいて、前記端末機器が、低レベルのＰＤＣＣＨ集約レベルに対応するＰＤＣＣＨの検索回数を優先的に削減することをさらに含む。
【００１６】
第１の態様及びその上記の実施形態に合わせて、第１の態様の別の実施形態において、前記プリセットのルールは、具体的に、前記端末機器が、第２のプリセットの順番に従って、前記ｎ個の専用検索スペース内の異なる検索スペースに対応するＰＤＣＣＨの検索回数削減することを含み、前記第２のプリセットの順番は、前記ｎ個の専用検索スペースのインデックス値の低い方から高い方への順番である。
【００１７】
第１の態様及びその上記の実施形態に合わせて、第１の態様の別の実施形態において、前記プリセットのルールは、前記ｎ個の専用検索スペースで第２の専用検索スペースの第２のＰＤＣＣＨ集約レベルを削減した後、前記少なくとも１つの検索スペースにおけるＰＤＣＣＨの検索回数が前記ブラインド検出の最大回数より小さいか等しい条件を満たす場合、前記端末機器が、前記少なくとも１つの検索スペースにおけるＰＤＣＣＨの検索回数の削減に対する実行を停止することをさらに含み、前記第２の専用検索スペースは前記ｎ個の専用検索スペースのいずれか１つの専用検索スペースであり、前記第２のＰＤＣＣＨ集約レベルは前記ｎ個の専用検索スペースのいずれか１つのＰＤＣＣＨ集約レベルである。
【００１８】
第１の態様及びその上記の実施形態に合わせて、第１の態様の別の実施形態において、前記第２のプリセットの順番は、同じ専用検索スペース内でＰＤＣＣＨ集約レベルが低い方から高い方への順番であることをさらに含む。
【００１９】
第１の態様及びその上記の実施形態に合わせて、第１の態様の別の実施形態において、前記ｎ個の専用検索スペース内の異なるＰＤＣＣＨ集約レベルが削減されるＰＤＣＣＨの検索回数は異なる。
【００２０】
第１の態様及びその上記の実施形態に合わせて、第１の態様の別の実施形態において、前記ｎ個の専用検索スペース内で各ＰＤＣＣＨ集約レベルが削減されるＰＤＣＣＨの検索回数は事前に構成されている。
【００２１】
第１の態様及びその上記の実施形態に合わせて、第１の態様の別の実施形態において、前記方法は、前記端末機器が、ネットワーク機器によって送信された第１の指示情報を受信することであって、前記第１の指示情報は、前記ｎ個の専用検索スペース内で各ＰＤＣＣＨ集約レベルに対応する、削減されたＰＤＣＣＨの検索回数を指示することをさらに含む。
【００２２】
第１の態様及びその上記の実施形態に合わせて、第１の態様の別の実施形態において、前記プリセットのルールは、前記ｎ個の専用検索スペース内の第３のＰＤＣＣＨ集約レベルに対応するＰＤＣＣＨが占用する時間周波数リソースが、第４のＰＤＣＣＨ集約レベルに対応するＰＤＣＣＨが占用する時間周波数リソースと重複する場合、前記端末機器は第３のＰＤＣＣＨ集約レベル及び／または前記第４のＰＤＣＣＨ集約レベルに対応するＰＤＣＣＨの検索回数を０に削減することを含み、ここで、前記第３のＰＤＣＣＨ集約レベルは前記第４のＰＤＣＣＨ集約レベルより低い。
【００２３】
第１の態様及びその上記の実施形態に合わせて、第１の態様の別の実施形態において、前記方法は、前記端末機器が、ネットワーク機器によって送信された第２の指示情報を受信することであって、前記第２の指示情報は、前記第３のＰＤＣＣＨ集約レベル及び／または前記第４のＰＤＣＣＨ集約レベルに対応するＰＤＣＣＨ検索回数を０に削減することをさらに含む。
【００２４】
ＰＤＣＣＨをブラインド検出する時のチャネル推定複雑さを考えて、複数の検索スペース内の、チャネル推定を実行する必要があるＣＣＥの総数と関連することを理解されたい。例えば、端末機器が支持する最大のＣＣＥのチャネル推定数は４８個であり、端末機器の最大のＣＣＥのチャネル推定数を超える時、同様に前記方法を採用して、少なくとも１つの検索スペース内の、チャネル推定を実行する必要があるＣＣＥの総数を削減し、即ち端末機器は、少なくとも１つの検索スペース内のｎ個の専用検索スペース及び／またはｍ個の専用検索スペースに対応するＰＤＣＣＨの検索回数を削減し、対応する同様にチャネル推定を実行する必要があるＣＣＥも数削減し、ＰＤＣＣＨの検索回数がブラインド検出の最大回数より小さいか等しいことを満たすまで削減するプロセスでは、対応する少なくとも１つの検索スペースに対応するチャネル推定を実行する必要があるＣＣＥの総数が最大回数よりまだ大きい場合、前記少なくとも１つの検索スペース内のｎ個の専用検索スペース及び／またはｍ個の専用検索スペースに対応するＰＤＣＣＨの検索回数を引き続き削減でき、対応する少なくとも１つの検索スペース内のチャネル推定を実行する必要があるＣＣＥの総数が最大回数より小さいか等しい時に停止し、これで端末機器のチャネル推定の複雑さを低減する問題を有効的に解決できる。したがって、本出願の実施例における端末機器のブラインド検出数を削減する方法は端末機器がＰＤＣＣＨをブラインド検出する時チャネル推定を実行する複雑さを低減する問題を解決するために同様に使用される。
【００２５】
したがって、本出願の実施例におけるＰＤＣＣＨのブラインド検出のための方法において、端末機器は少なくとも１つの検索スペースにおけるＰＤＣＣＨの検索回数がブラインド検出の最大回数より大きい場合、特定のプリセットのルールに従って、少なくとも１つの検索スペースにおけるＰＤＣＣＨの検索回数を前記ＰＤＣＣＨの検索回数がブラインド検出の最大回数より小さいか等しいまで削減することにより、端末機器はブラインド検出回数をより合理的に割り当てることができ、同様に端末機器のチャネル推定の複雑さを低減する問題を解決できる。
【００２６】
第２の態様において、前記第１の態様または第１の態様の任意の可能な実施形態における方法を実行するように構成される端末機器を提供する。具体的に、前記端末機器は、前記第１の態様または第１の態様の任意の可能な実施形態における方法を実行するように構成されるユニットを含む。
【００２７】
第３態様において、メモリユニット及びプロセッサを含む端末機器を提供し、前記メモリユニットは命令を記憶するように構成され、前記プロセッサは前記メモリに記憶された命令を実行するように構成され、さらに前記プロセッサが前記メモリに記憶された命令を実行するとき、前記プロセッサに第１の態様または第１の態様の任意の可能な実施形態における方法を実行させる。
【００２８】
第４の態様において、コンピュータプログラムを記憶するように構成されるコンピュータ読み取り可能な媒体を提供し、前記コンピュータプログラムは第１の態様または第１の態様の任意の可能な実施形態における方法を実行するための命令を含む。
【００２９】
第５の態様において、命令を含むコンピュータプログラム製品を提供し、コンピュータが前記コンピュータプログラム製品の前記命令を実行する場合、前記コンピュータは前記第１の態様または第１の態様の任意の可能な実施形態におけるＰＤＣＣＨのブラインド検出のための方法を実行する。具体的に、前記コンピュータプログラム製品は前記第２の態様の端末機器で実行できる。
【図面の簡単な説明】
【００３０】
【図１】本出願の実施例に係るＰＤＣＣＨのブラインド検出のための方法の例示的なフローチャートである。
【図２】本出願の実施例に係る特別な検索スペースブロックの例示図である。
【図３】本出願の実施例に係る端末機器の例示的なブロック図である。
【図４】本出願の実施例に係る端末機器の別の例示的なブロック図である。
【発明を実施するための形態】
【００３１】
以下、本出願の実施例における技術的解決策を図面を参照して説明する。
【００３２】
本出願の実施例の技術的解決策は、例えば、グローバル移動通信（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分割多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割二重（ＦＤＤ：Ｆｒｅｑｕｅｎｃｙ  Ｄｉｖｉｓｉｏｎ  Ｄｕｐｌｅｘ）システム、ＬＴＥ時分割二重（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスのための世界的な相互運用性（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、未来の第５世代（５Ｇ：５ｔｈ  Ｇｅｎｅｒａｔｉｏｎ）システムまたはニューラジオ（ＮＲ：Ｎｅｗ  Ｒａｄｉｏ）など、様々な通信システムに適応することができる。
【００３３】
本出願の実施例における端末機器は、ユーザデバイス、アクセス端末、ユーザユニット、ユーザステーション、移動局、移動局、遠隔局、遠隔端末、移動装置、ユーザ端末、端末、無線通信装置、ユーザエージェントまたはユーザ装置を指し得る。端末機器は、さらに携帯電話、コードレス電話、セッション開始プロトコル（ＳＩＰ：ｓｅｓｓｉｏｎ  ｉｎｉｔｉａｔｉｏｎ  ｐｒｏｔｏｃｏｌ）電話、無線ローカルループ（ＷＬＬ：ｗｉｒｅｌｅｓｓ  ｌｏｃａｌ  ｌｏｏｐ）ステーション、携帯情報端末（ＰＤＡ：ｐｅｒｓｏｎａｌ  ｄｉｇｉｔａｌ  ａｓｓｉｓｔａｎｔ）、ワイヤレス通信機能を備えたハンドヘルドデバイス、コンピューティングデバイスまたはワイヤレスモデムに接続されたその他の処理デバイス、車載装置、ウェアラブル装置、未来５Ｇネットワークにおける端末機器または未来進化の公衆陸上移動通信網（ＰＬＭＮ：ｐｕｂｌｉｃ  ｌａｎｄ  ｍｏｂｉｌｅ  ｎｅｔｗｏｒｋ）における端末機器などであることができ、本出願の実施例はこれに対して限定しない。
【００３４】
本出願の実施例におけるネットワーク機器は端末機器と通信するように構成された装置であってもよく、前記ネットワーク機器は、ＧＳＭまたはＣＤＭＡの基地局（Ｂａｓｅ  Ｔｒａｎｓｃｅｉｖｅｒ  Ｓｔａｔｉｏｎ、ＢＴＳ）であってもよく、ＷＣＤＭＡシステムの基地局（ＮｏｄｅＢ、ＮＢ）であってもよく、さらにＬＴＥシステムの進化型基地局（Ｅｖｏｌｕｔｉｏｎａｌ  ＮｏｄｅＢ、ｅＮＢまたはｅＮｏｄｅＢ）であってもよく、クラウド無線アクセスネットワーク（ＣＲＡＮ：Ｃｌｏｕｄ  Ｒａｄｉｏ  Ａｃｃｅｓｓ  Ｎｅｔｗｏｒｋ）シナリオでのワイヤレスコントローラであってもよく、または前記ネットワーク機器は、リレーステーション、アクセスポイント、車載装置、ウェアラブル装置及び未来５Ｇネットワークのネットワーク機器または未来進化のＰＬＭＮネットワークのネットワーク機器などであってもよく、本出願の実施例は限定されない。
【００３５】
図１は、本出願の実施例に係るＰＤＣＣＨのブラインド検出のための方法の例示的なフローチャートを示し、前記方法１００は端末機器によって実行できる。図１に示されたように、前記方法１００は、次のステップを含む。ステップＳ１１０において、端末機器の少なくとも１つの検索スペースにおけるＰＤＣＣＨの検索回数がブラインド検出の最大回数より大きい場合、前記端末機器は、前記少なくとも１つの検索スペースに含まれた、ｎ個の専用検索スペースにおけるＰＤＣＣＨの検索回数を削減し、及び／または前記少なくとも１つの検索スペースに含まれた、ｍ個の共通検索スペースにおけるＰＤＣＣＨの検索回数を削減することであって、削減後の前記少なくとも１つの検索スペースにおけるＰＤＣＣＨの検索回数が前記ブラインド検出の最大回数より小さいか等しく、ｎ及びｍは０より大きいか等しい整数であり、ｎ及びｍは同時に０ではない。ステップＳ１２０において、前記端末機器が、削減後の前記少なくとも１つの検索スペースにおけるＰＤＣＣＨの検索回数に従って、前記少なくとも１つの検索スペースに対してＰＤＣＣＨのブラインド検出を実行する。
【００３６】
本出願の実施例において、ネットワーク機器は端末機器に少なくとも１つの検索スペースを構成でき、前記少なくとも１つの検索スペースはｎ個の専用検索スペース及びｍ個の共通検索スペースを含み、ここで、ｎ及びｍは０より大きいか等しい正数であるが、ｎ及びｍは同時に０ではない。前記少なくとも１つの検索スペース内の任意の１つの検索スペースについて、例えば、前記任意の１つの検索スペースは専用検索スペースであってもよく、共通検索スペースであってもよく、ネットワーク機器は前記任意の検索スペースと特定のＣＯＲＥＳＥＴの関連関係及び関連するパラメータを介して、前記端末機器に前記検索スペースが占用する時間周波数リソースの位置を構成し、ここで、前記関連するパラメータは、検索スペースのモニタリング周期、モニタリング周期内の検索スペースのオフセットタイムスロットの数、１つのタイムスロット内の検索スペースの開始シンボル位置、検索スペースに含まれた１つまたは複数の集約レベル（ＡＬ：Ａｇｇｒｅｇａｔｉｏｎ  ｌｅｖｅｌ）及び各集約レベルでの候補ＰＤＣＣＨ数、及び検索スペースに対応するダウンリング制御情報（ＤＣＩ：Ｄｏｗｎｌｉｎｋ  Ｃｏｎｔｒｏｌ  Ｉｎｆｏｒｍａｔｉｏｎ）フォーマット中の少なくとも１つのパラメータを含む。
【００３７】
具体的に、ＮＲシステムにおいて、ＰＤＣＣＨは制御チャネルユニット（ＣＣＥ：Ｃｏｎｔｒｏｌ  Ｃｈａｎｎｅｌ  Ｅｌｅｍｅｎｔ）で構成され、各ＣＣＥは具体的に、リソースユニットグループ（ＲＥＧ：Ｒｅｓｏｕｒｃｅ−Ｅｌｅｍｅｎｔ  Ｇｒｏｕｐ）で構成でき、各ＲＥＧは複数のリソースユニット（ＲＥ：Ｒｅｓｏｕｒｃｅ  Ｅｌｅｍｅｎｔ）を含む。具体的に、ＮＲでＲＥＧは、周波数領域的には１つの物理リソースブロック（ＰＲＢ：ｐｈｙｓｉｃａｌ  ｒｅｓｏｕｒｃｅ  ｂｌｏｃｋ）の大きさであり、時間的には１つのＯＦＤＭシンボルの大きさであり、複数のＲＥＧグループにより１つのＲＥＧバンドル（ｂｕｎｄｌｅ）を構成でき、ＲＥＧ  ｂｕｎｄｌｅは２つ、３つまたは６つのＲＥＧを含むことができ、１つのＣＣＥは通常６つのＲＥＧを含む。
【００３８】
現在、ＮＲシステムでは、端末機器のブラインド検出機能をシングルキャリアまたはマルチキャリアに従って端末機器のブラインド検出回数について異なる次元から定義し、または、端末機器が支持するタイムスロット粒度に基づくＰＤＣＣＨの検出またはマイクロタイムスロット粒度に基づくＰＤＣＣＨの検出に従ってブラインド検出回数を定義する。ここで、マイクロタイムスロットに基づくＰＤＣＣＨの検出は、ＰＤＣＣＨの時間領域の位置がタイムスロット内の最初の２つまたは３つのＯＦＤＭのシンボルに限定されるではなく、１つのタイムスロット内の任意の位置であることを意味する。例えば、ＮＲシステムでタイムスロットに基づくＰＤＣＣＨの検出を定義しており、シングルキャリアの場合、ブラインド検出の最大回数は４４回に設定できる。
【００３９】
さらに、ネットワーク機器は、端末機器に複数の検索スペースを構成し、各検索スペース内の異なる集約レベルに対応する候補ＰＤＣＣＨを構成し、各集約レベルに対応する候補ＰＤＣＣＨの数を構成し、各検索スペースに対応するＤＣＩフォーマットを構成し、端末機器は各集約レベルで、ある構成されたＤＣＩフォーマットに従ってある候補ＰＤＣＣＨを検出を行い、１回ＰＤＣＣＨの検索またはブラインド検出と称する。例えば、ネットワーク機器が端末機器に構成した検索スペース内では、集約レベルＡＬ＝２を含み、さらに前記集約レベルでは４つの候補ＰＤＣＣＨがあり、さらに前記検索スペースに二種類のＤＣＩフォーマットを構成し、端末機器が二種類のＤＣＩフォーマットに従って４つの候補ＰＤＣＣＨを検出する場合、最大には８回ブラインド検出する必要がある。
【００４０】
より有効的にＰＤＣＣＨのリソースを使用するため、ネットワーク機器はあるタイムスロットに構成された全ての候補ＰＤＣＣＨの数が端末機器の検出機能を超えることができ、即ち端末機器が支持するブラインド検出の最大回数を超えることである。
【００４１】
例えば、以下の表１を例として、ネットワーク機器が端末機器に３つの検索スペースを構成すると仮定すると、各検索スペースのモニタリング周期が異なり、対応するブラインド検出回数も異なる。検索スペース１のモニタリング周期は４つのタイムスロットであり、各タイムスロットでブラインド検出を６回実行するなど、検索スペース２のモニタリング周期は１つのタイムスロットであり、各タイムスロットで４０回実行するなど、検索スペース３のモニタリング周期は８つのタイムスロットであり、各タイムスロットでブラインド検出を２回実行するなど、あるタイムスロットにおいて、複数の検索スペースの全てのブラインド検出回数が端末の最大のブラインド検出機能を超えることができ、例えば、ブラインド検出の最大回数が４４回であり、タイムスロット０、４、８、１２及び１６に対応するすべてが前記ブラインド検出の最大回数を超えるとしたら、この場合端末機器がブラインド検出回数をどのように割り当てるかまたはネットワーク機器がブラインド検出回数をどのように割り当てるかは解決すべき問題である。
【００４２】
【表１】
2021517757.tif 000003
【００４３】
さらに、ＮＲシステムにおいて、ＰＤＣＣＨをブラインド検出する時にチャネル推定複雑さも導入され、チャネル推定の複雑さは検索スペース内で実行する必要があるチャネル推定のＣＣＥの数に関連し、例えば、端末機器が支持する最大のＣＣＥのチャネル推定数は４８個であり、端末機器の最大のＣＣＥのチャネル推定数を超えると、同様に端末機器のチャネル推定複雑さをどのように低減するかの問題が存在する。
【００４４】
まとめると、本出願の実施例は、前記問題を解決するためにＰＤＣＣＨのブラインド検出のための方法を提供する。
【００４５】
具体的に、ステップＳ１１０において、少なくとも１つの検索スペースにおけるＰＤＣＣＨの検索回数がブラインド検出の最大回数より大きい場合、端末機器は少なくとも１つの検索スペース内のｎ個の専用検索スペース及び／またはｍ個の共通検索スペースに対応するＰＤＣＣＨの検索回数を削減し、前記少なくとも１つの検索スペースにおけるＰＤＣＣＨの検索回数がブラインド検出の最大回数より小さいか等しいことを満たす時、削減を停止する。具体的に、端末機器は先ずプリセットのルールに従って、ｎ個の専用検索スペースにおけるＰＤＣＣＨの検索回数を削減し、削減した後、前記少なくとも１つのＰＤＣＣＨの検索回数がブラインド検出の最大回数よりまだ大きい場合、ｍ個の共通検索スペースにおけるＰＤＣＣＨの検索回数をまた削減する。または、端末機器はプリセットのルールに従って、ｎ個の専用検索スペースにおけるＰＤＣＣＨの検索回数を削減し、少なくとも１つの検索スペースにおけるＰＤＣＣＨの検索回数がブラインド検出の最大回数より小さいか等しいことを満たす時、ｍ個の共通検索スペースにおけるＰＤＣＣＨの検索回数を削減することなく、前記ｎ個の専用検索スペースにおけるＰＤＣＣＨの検索回数を削減することを停止する。
【００４６】
本出願の実施例における少なくとも１つの検索スペース内の任意の検索スペースについて、様々なＤＣＩフォーマットが構成されている場合、ＰＤＣＣＨのブラインド検出は各ＤＣＩフォーマットに従ってそれぞれに実行され、毎回のＰＤＣＣＨのブラインド検出は１回のＰＤＣＣＨの検索回数に対応することを理解されたい。
【００４７】
選択的に、ｎ個の専用検索スペースにおけるＰＤＣＣＨの検索回数を削減する時に使用するプリセットのルールは、ｍ個の共通検索スペースにおけるＰＤＣＣＨの検索回数を削減することに用いられ、より説明を簡単にするため、以下のプリセットのルールはｎ個の専用検索スペースにおけるＰＤＣＣＨの検索回数を削減することを例として説明を行い、ｍ個の共通検索スペースも同様に適応できる。
【００４８】
具体的に、端末機器が、プリセットのルールに従ってｎ個の専用検索スペースにおけるＰＤＣＣＨの検索回数を削減する場合、前記プリセットのルールは、異なる順番に従ってｎ個の専用検索スペースにおけるＰＤＣＣＨの検索回数を削減でき、例えば、端末機器はｎ個の専用検索スペース内の異なるＰＤＣＣＨ集約レベル（「集約レベル」と略称する）の順番に従ってＰＤＣＣＨの検索回数を削減し、または、端末機器はｎ個の専用検索スペースのインデックス値の順番の大きさに従ってＰＤＣＣＨの検索回数を削減することできるが、本出願の実施例はこれに限定されない。
【００４９】
選択的に、１つの実施例として、前記プリセットのルールは、端末機器がｎ個の専用検索スペース内の異なる集約レベルの順番に従ってＰＤＣＣＨの検索回数を削減することである。具体的に、端末機器はｎ個の専用検索スペース内でより低い集約レベルに対応するＰＤＣＣＨの検索回数を優先的に削減できる。例えば、端末機器は第１のプリセットの順番に従って、ｎ個の専用検索スペース内の異なる集約レベルに対応するＰＤＣＣＨの検索回数を順次に削減し、ここで、前記第１のプリセットの順番は、ｎ個の専用検索スペース内で集約レベルが低い方から高い方への順番である。本実施例は同様に集約レベルに従って高い順から低い順の順番に適応できる
本出願の実施例において、任意の１つの専用検索スペースについて、異なる集約レベルのＰＤＣＣＨを含め、各集約レベルはそれぞれのＰＤＣＣＨの検索回数に対応し、例えば、前記任意の専用検索スペースは集約レベルＡＬ＝１，２，４，８及び１６内の少なくとも１つを含み、ここで、各集約レベルはそれぞれのＰＤＣＣＨの検索回数に対応し、端末機器は前記ｎ個の専用検索スペース内の集約レベルの低いから高い順の順番に従って、集約レベルに対応するＰＤＣＣＨの検索回数を順次に削減し、ある集約レベルまで削減後、端末機器の少なくとも１つの検索スペースにおけるＰＤＣＣＨの検索回数がブラインド検出の最大回数の制限を満たす時に、削減を停止し、即ち残りの高レベルの集約レベルに対応するＰＤＣＣＨの検索回数は、もはや削減されない。
【００５０】
選択的に、前記ｎ個の専用検索スペース内に複数の検索スペースが同じ集約レベルを含むことがある場合、前記同じ集約レベルの複数の専用検索スペースについて、インデックス値の小さい方から大きい方の順番に従って、または大きい順から小さい順の順番に従って、前記同じ集約レベルである複数の検索スペース内で記同じ集約レベルに対応するＰＤＣＣＨの検索回数を順次に削減する。
【００５１】
具体的に、集約レベルの低いから高い順に従って、同じ集約レベルはインデックス値を小さい方から大きい方または大きい順から小さい順の順番に従って、端末機器は集約レベルに対応するＰＤＣＣＨの検索回数を順次に削減し、ｎ個の専用検索スペース内の第１の専用検索スペースの第１のＰＤＣＣＨ集約レベルまで削減した後、端末機器の少なくとも１つの検索スペースにおけるＰＤＣＣＨの検索回数がブラインド検出の最大回数より小さいか等しい条件を満たす場合、前記少なくとも１つの検索スペースにおけるＰＤＣＣＨの検索回数の削減を停止し、即ちランキング位置が前記第１の専用検索スペースの第１のＰＤＣＣＨ集約レベルの後ろに配置された他の検索スペース及び他の検索レベルは、再び削減されない、そうでなければ、専用検索スペースにおけるＰＤＣＣＨの検索回数を削減を実行することを続ける。ここで、前記第１の専用検索スペースは前記ｎ個の専用検索スペース内の任意の１つの専用検索スペースであり、前記第１のＰＤＣＣＨ集約レベルはｎ個の専用検索スペース内に含まれた集約レベル中の任意の１つの集約レベルである。
【００５２】
任意の専用検索スペース内の任意の集約レベルに対応するＰＤＣＣＨの検索回数について、削減する必要があるＰＤＣＣＨの検索回数はプリセットのされてもよく、または、ネットワーク機器が構成してもよいことを理解されたい。具体的に、端末機器はネットワーク機器によって送信された第１の指示情報を受信でき、前記第１の指示情報はｎ個の専用検索スペース内で各集約レベルに対応する削減されたＰＤＣＣＨの検索回数を指示するためである。
【００５３】
ｎ個の専用検索スペース内の異なる集約レベルに対応する削減されたＰＤＣＣＨ検索回数は同じでもよく、異なってもよいことを理解されたい。同じ場合、即ち各集約レベルは同じ数のＰＤＣＣＨの検索回数をすべて削減し、とある集約レベルのＰＤＣＣＨの検索回数がレベルを削減されたほうの数より小さいか等しいことが存在する場合、削減後、前記集約レベルのＰＤＣＣＨの検索回数を０と設定する。異なる場合、例えば、各集約レベルをその元のＰＤＣＣＨの検索回数の半分を削減するようにすべて設定できるが、本出願の実施例はこれに限定されない。
【００５４】
以下、具体的な実施例に対して例を示しながら説明する。
【００５５】
例えば、前記端末機器は２つの専用検索スペースを含み、前記専用検索スペースは専用検索スペース０及び専用検索スペース１であり、各専用検索スペースは集約レベルＡＬ＝１、２，４，８及び１６を全て含み、各専用検索スペースの各集約レベルはそれぞれのＰＤＣＣＨの検索回数に対応する。ＰＤＣＣＨの検索回数を削減するプロセスにおいて、集約レベルがより低いのを先に削減し、即ち集約レベルＡＬ＝１のＰＤＣＣＨの検索回数を先に削減する。２つの専用検索スペースは集約レベルＡＬ＝１を含むことにより、ここは専用検索スペースのインデックス値の低い方から高い方への順番に従って、専用検索スペース０内で集約レベルＡＬ＝１に対応するＰＤＣＣＨの検索回数を１番目に削減し、削減した後、ブラインド検出の最大回数の制限をまだ満たしてない場合、専用検索スペース１内で集約レベルＡＬ＝１に対応するＰＤＣＣＨの検索回数を再び削減し、削減後、ブラインド検出の最大回数の制限をまだ満たしてない場合、前記専用検索スペース０の集約レベルを１レベル上げ、即ち専用検索スペース０内の集約レベルＡＬ＝２に対応するＰＤＣＣＨの検索回数を削減するなどなど、ある検索スペース内のある集約レベルまで削減され、例えば、専用検索スペース０の集約レベルＡＬ＝８を削減した後、端末機器の少なくとも１つの検索スペースにおけるＰＤＣＣＨの検索回数が最大のブラインド検出解すより小さいか等しい条件を満たす時、削減を停止し、即ちランキングが専用検索スペース０の集約レベルＡＬ＝８の後の集約レベルはＰＤＣＣＨの検索回数の削減をもう実行しない、例えば、専用検索スペース１の集約レベルＡＬ＝４のＰＤＣＣＨの検索回数は変わらない。
【００５６】
選択的に、実施例として、前記プリセットのルールは、端末機器がｎ個の専用検索スペースのインデックス値の大きさの順番に従ってＰＤＣＣＨの検索回数を削減する。具体的に、端末機器はインデックス値が最大の専用検索スペースからＰＤＣＣＨの検索回数の削減を始め、または、端末機器はインデックス値が最小の専用検索スペースからＰＤＣＣＨの検索回数の削減を始める。以下、端末機器がインデックス値が最小の専用検索スペースからＰＤＣＣＨの検索回数の削減を始めることを例として説明する。具体的に、端末機器はｎ個の専用検索スペースでインデックス値がより小さい検索スペースに対応するＰＤＣＣＨの検索回数を優先的に削減できる。例えば、端末機器は第２のプリセットの順番に従って、ｎ個の専用検索スペース内の異なる集約レベルに対応するＰＤＣＣＨの検索回数を順次に削減し、ここで、前記第１のプリセットの順番は、ｎ個の専用検索スペースのインデックス値が小さい方から大きい方である。
【００５７】
選択的に、前記ｎ個の専用検索スペース内の任意の専用検索スペースについて、前記専用検索スペースが複数の集約レベルを含む場合、前記複数の集約レベルを低い方から高い方への順番に従って、前記同じ専用検索スペース内に含まれた集約レベルのＰＤＣＣＨの検索回数を順次に削減する。
【００５８】
具体的に、ｎ個の専用検索スペースのインデックス値の大きさの順番に従って、同じように専用検索スペースの集約レベルが低い方から高い方への順番に従って、端末機器は専用検索スペースに含まれた少なくとも１つの集約レベルに対応するＰＤＣＣＨの検索回数を順次に削減し、ｎ個の専用検索スペース内の第２の専用検索スペースの第２のＰＤＣＣＨ集約レベルまで削減した後、端末機器の少なくとも１つの検索スペースにおけるＰＤＣＣＨの検索回数がブラインド検出の最大回数より小さいか等しい条件を満たす場合、前記少なくとも１つの検索スペースにおけるＰＤＣＣＨの検索回数の削減を停止し、即ちランキング位置が前記第２の専用検索スペースの第２のＰＤＣＣＨ集約レベルの後ろに配置された他の検索スペース及び他の検索レベルは、再び削減されない、そうでなければ、専用検索スペースにおけるＰＤＣＣＨの検索回数を削減を実行することを続ける。ここで、前記第２の専用検索スペースは前記ｎ個の専用検索スペース内の任意の１つの専用検索スペースであり、前記第２のＰＤＣＣＨ集約レベルはｎ個の専用検索スペース内に含まれた集約レベル中の任意の１つの集約レベルである。
【００５９】
任意の専用検索スペース内の任意の集約レベルに対応するＰＤＣＣＨの検索回数について、削減する必要があるＰＤＣＣＨの検索回数はプリセットのされてもよく、または、ネットワーク機器が構成してもよいことを理解されたい。具体的に、端末機器はネットワーク機器によって送信された第１の指示情報を受信でき、前記第１の指示情報はｎ個の専用検索スペース内で各集約レベルに対応する削減されたＰＤＣＣＨの検索回数を指示するためである。
【００６０】
ｎ個の専用検索スペース内の異なる集約レベルに対応する削減されたＰＤＣＣＨ検索回数は同じでもよく、異なってもよいことを理解されたい。同じ場合、即ち各集約レベルは同じ数のＰＤＣＣＨの検索回数をすべて削減し、とある集約レベルのＰＤＣＣＨの検索回数がレベルを削減されたほうの数より小さいか等しいことが存在する場合、削減後、前記集約レベルのＰＤＣＣＨの検索回数を０と設定する。異なる場合、例えば、各集約レベルをその元のＰＤＣＣＨの検索回数の半分を削減するようにすべて設定できるが、本出願の実施例はこれに限定されない。
【００６１】
以下、具体的な実施例に対して例を示しながら説明する。
【００６２】
例えば、前記端末機器は２つの専用検索スペースを含み、前記専用検索スペースは専用検索スペース０及び専用検索スペース１であり、各専用検索スペースは集約レベルＡＬ＝１、２，４，８及び１６を全て含み、各専用検索スペースの各集約レベルはそれぞれのＰＤＣＣＨの検索回数に対応する。ＰＤＣＣＨの検索回数を削減するプロセスにおいて、インデックス値がより小さい専用検索スペースを先に削減し、即ち専用検索スペース０のＰＤＣＣＨの検索回数を先に削減する。前記専用検索スペース０は５つの集約レベルを含むため、ここは集約レベルの低い方から高い方への順番に従って、専用検索スペース０内で集約レベルＡＬ＝１に対応するＰＤＣＣＨの検索回数を１番目に削減し、削減した後、ブラインド検出の最大回数の制限をまだ満たしてない場合、専用検索スペース０内で集約レベルＡＬ＝２に対応するＰＤＣＣＨの検索回数をさらに削減し、削減後、ブラインド検出の最大回数の制限をまだ満たしてない場合、セットは、前記専用検索スペース０の集約レベルを１レベル上げ、即ち専用検索スペース０内の集約レベルＡＬ＝４に対応するＰＤＣＣＨの検索回数を削減するなどなど、ある検索スペース内のある集約レベルまで削減され、例えば、専用検索スペース１の集約レベルＡＬ＝２を削減した後、端末機器の少なくとも１つの検索スペースにおけるＰＤＣＣＨの検索回数が最大のブラインド検出解すより小さいか等しい条件を満たす時、削減を停止し、即ちランキングが専用検索スペース１の集約レベルＡＬ＝２の後の集約レベルはＰＤＣＣＨの検索回数の削減をもう実行しない、例えば、専用検索スペース１の集約レベルＡＬ＝４のＰＤＣＣＨの検索回数は変わらない。
【００６３】
本出願の実施例において、端末機器のｎ個の専用検索スペースでは特別な検索スペースブロックが存在する場合があり、前記検索スペースブロックは入れ子構造のＰＤＣＣＨの構造を含み、この場合、端末機器はプリセットのルールに従って、ｎ個の専用検索スペースにおけるＰＤＣＣＨの検索回数を削減する時、前記プリセットのルールは、前記特別な検索スペースブロックに対応するＰＤＣＣＨの検索回数を削減できる。
【００６４】
具体的に、前記プリセットのルールは、端末機器のｎ個の専用検索スペース内の第３のＰＤＣＣＨ集約レベルに対応するＰＤＣＣＨが占用する時間周波数リソースが、第４のＰＤＣＣＨ集約レベルに対応するＰＤＣＣＨが占用する時間周波数リソースと重複する場合、即ち前記第４のＰＤＣＣＨ集約レベルに対応するＰＤＣＣＨが占用する時間周波数リソースは１つの特別な検索スペースブロックである。前記端末機器は第３のＰＤＣＣＨ集約レベル及び／または前記第４のＰＤＣＣＨ集約レベルに対応するＰＤＣＣＨの検索回数を０に削減し、ここで、前記第３のＰＤＣＣＨ集約レベルは任意専用検索スペース内の任意集約レベルであり、第４のＰＤＣＣＨ集約レベルは任意専用検索スペース内の任意集約レベルであり、さらに前記第３のＰＤＣＣＨ集約レベルは前記第４のＰＤＣＣＨ集約レベルより低い。
【００６５】
例えば、図２は、特別な検索スペースブロックの例示図を示し、図２に示されたように、前記検索スペースブロックは入れ子のＰＤＣＣＨ構造を含み、図では高レベルの集約レベルのＣＣＥは低レベルの集約レベルのＣＣＥを含む。具体的に、図２における集約レベルＡＬ＝１の８つの候補ＰＤＣＣＨに占用された８つのＣＣＥ、集約レベルＡＬ＝２の４つの候補ＰＤＣＣＨに占用された８つのＣＣＥ及び集約レベルＡＬ＝８の１つの候補ＰＤＣＣＨに占用された８つのＣＣＥが占用する時間周波数リソースは完全に一致するが、より明確的な例示のため、図２の横は周波数が同じことを表示するが、縦はそれぞれ４つの集約レベルを示す。ここで、集約レベルＡＬ＝２に対する４つの候補ＰＤＣＣＨでは、各候補ＰＤＣＣＨが占用する２つのＣＣＥはそれぞれの２つのＡＬ＝１のＣＣＥに対応し、即ち前記集約レベルＡＬ＝２は前記第４のＰＤＣＣＨ集約レベルであり、集約レベルＡＬ＝１は前記第３のＰＤＣＣＨ集約レベルであり、プリセットのルールは、集約レベルＡＬ＝２及び／またはＡＬ＝１に対応するＰＤＣＣＨの検索回数の全てを０に削減できる。同じように、例えばＡＬ＝４の２つの候補ＰＤＣＣＨで、各プリセットのルールが占用する４つのＣＣＥは２つの集約レベルＡＬ＝２の合計４つのＣＣＥに対応し、プリセットのルールは、集約レベルＡＬ＝４及び／またはＡＬ＝２に対応するＰＤＣＣＨの検索回数の全てを０に削減できる。さらに例えば１つの集約レベルＡＬ＝８の１つの候補ＰＤＣＣＨが占用する８つのＣＣＥは２つのＡＬ＝４の合計８つのＣＣＥに対応し、前記セットルールは、集約レベルＡＬ＝８及び／またはＡＬ＝４に対応するＰＤＣＣＨの検索回数の全てを０に削減できる。
【００６６】
このように、端末機器のｎ個の専用検索スペースは前記の複数の特別な検索スペースブロックに似たものを含む場合、前記プリセットのルールは、端末機器は中の部分的の特別な検索スペースブロック及び対応するＰＤＣＣＨの検索回数を削減することによって、ＰＤＣＣＨの検索総回数低減する目的を達成する。
【００６７】
選択的に、中の１つの特別な検索スペースブロックを削減することについて、前記検索スペースブロックに対応する全てのＰＤＣＣＨの検索回数を削減でき、例えば図２での検索スペースブロックに対応するＰＤＣＣＨの検索回数をすべて削除し、または前記検索スペースブロックより下の一部の集約レベルに対応するＰＤＣＣＨの検索回数も削減でき、また端末のブラインド検出回数を低減する目的を達成でき、例えば、図２での検索スペースブロックは集約レベルＡＬ＝１、ＡＬ＝２及びＡＬ＝４に対応するＰＤＣＣＨの検索回数を削減でき、集約レベルＡＬ＝８に対応するＰＤＣＣＨの検索回数を保つ。または、図２での検索スペースブロックは第２のＡＬ＝４，及びそれと同じＣＣＥを持つＡＬ＝１及びＡＬ＝２の検索回数を０に削減でき、ＡＬ＝８の検索回数、及び第１のＡＬ＝４及びそれと同じＣＣＥを持つＡＬ＝１及びＡＬ＝２の検索回数を保つ。
【００６８】
前記方法１００は、前記端末機器がネットワーク機器によって送信された第２の指示情報を受信することであって、前記第２の指示情報は、前記第３のＰＤＣＣＨ集約レベル及び／または前記第４のＰＤＣＣＨ集約レベルに対応するＰＤＣＣＨ検索回数を０に削減することをさらに含むことを理解されたい。具体的に、端末機器はネットワーク機器の構成に従って、１つまたは複数の前記特別な検索スペースブロックに対応する全てまたは一部のＰＤＣＣＨの検索回数を削減することを決定する。
【００６９】
本出願の実施例における各専用検索スペース内の各集約レベルに対応する元のＰＤＣＣＨの検索回数はネットワーク機器が構成してもよく、または事前に構成されたものであってもよいことを理解されたい。本出願の実施例はこれに限定されない。
【００７０】
本出願の実施例における端末機器が使用するプリセットのルールは先に構成でき、またはネットワーク機器によって構成されることを理解されたい。具体的に、端末機器が前記プリセットのルールに従てｎ個の検索スペースまたはｍ個の共通検索スペースにおけるＰＤＣＣＨの検索回数を削減するため、端末機器はネットワーク機器によって送信されたプリセットのルールを受信できるだが、本出願の実施例はこれに限定されない。
【００７１】
ＰＤＣＣＨをブラインド検出する時のチャネル推定複雑さを考えて、複数の検索スペース内のチャネル推定を実行する必要がある総ＣＣＥの数と関連することを理解されたい。例えば、端末機器が支持する最大のＣＣＥのチャネル推定数は４８個であり、端末機器の最大のＣＣＥのチャネル推定数を超える時、同様に前記方法を採用して少なくとも１つの検索スペース内のチャネル推定を実行する必要がある総ＣＣＥの数を削減し、即ち端末機器は少なくとも１つの検索スペース内のｎ個の専用検索スペース及び／またはｍ個の専用検索スペースに対応するＰＤＣＣＨの検索回数を削減し、対応する同様にチャネル推定を実行する必要があるＣＣＥも数削減し、ＰＤＣＣＨの検索回数がブラインド検出の最大回数より小さいか等しいことを満たすまで削減するプロセスでは、対応する少なくとも１つの検索スペースに対応するチャネル推定を実行する必要があるＣＣＥの総数が最大回数よりまだ大きい場合、前記少なくとも１つの検索スペース内のｎ個の専用検索スペース及び／またはｍ個の専用検索スペースに対応するＰＤＣＣＨの検索回数を引き続き削減でき、対応する少なくとも１つの検索スペース内のチャネル推定を実行する必要があるＣＣＥの総数が最大回数より小さいか等しい時に停止し、これで端末機器のチャネル推定の複雑さを低減する問題を有効的に解決できる。したがって、本出願の実施例における端末機器のブラインド検出数を削減する方法は端末機器がＰＤＣＣＨをブラインド検出する時チャネル推定を実行する複雑さを低減する問題を解決するために同様に使用される。
【００７２】
説明するべきなのは、検索スペースが入れ子構造になっている場合、ブラインド検出回数を低減するために、集約レベルが低い検索回数を低減してブラインド検出の総数を低減することができるだが、チャネル推定の複雑さを削減する必要がある場合、まだ集約レベルが低い検索回数を低減してチャネル推定の複雑さを低減できない。集約レベルが高い候補ＰＤＣＣＨが全てのチャネル推定を実行するＣＣＥをまだ含むため、この場合、前記検索スペースブロックの全ての集約レベルの検索回数を０に削減できることにより、前記チャネル推定の複雑さの目的を達成する。または集約レベルが高いＰＤＣＣＨの検索回数を優先的に０に削減でき、さらに一部の低集約レベルのＰＤＣＣＨの検索回数を低減し、検索スペースの複雑さも低減できる。
【００７３】
例えば、図２に示されたように、チャネル推定の複雑さを低減するために、即ちチャネル推定を実行する必要があるＣＣＥの数を削減して、前記検索スペースブロックの全ての集約レベルのＰＤＣＣＨの検索回数を０に削減でき、この場合前記検索スペースブロックの全てのＣＣＥに対してチャネル推定を実行する必要がないことにより、チャネル推定の複雑さを低減する。または、ＡＬ＝８のＰＤＣＣＨの検索回数を０に削減し、さらに第２のＡＬ＝４のＰＤＣＣＨの検索回数を０に削減し、及びそれと同じＣＣＥを持つ全てのＡＬ＝２及びＡＬ＝１の検索回数を０に削減し、この場合第１のＡＬ＝４及びそれと同じＣＣＥを持つＡＬ＝２及びＡＬ＝１のＰＤＣＣＨのみをブラインド検出する必要があり、したがって４つのＣＣＥのチャネル推定のみを実行する必要があり、チャネル推定の複雑さを低減できる。
【００７４】
したがって、本出願の実施例におけるＰＤＣＣＨのブラインド検出のための方法において、端末機器は少なくとも１つの検索スペースにおけるＰＤＣＣＨの検索回数がブラインド検出の最大回数より大きい場合、特定のプリセットのルールに従って、少なくとも１つの検索スペースにおけるＰＤＣＣＨの検索回数を前記ＰＤＣＣＨの検索回数がブラインド検出の最大回数より小さいか等しいまで削減することにより、端末機器はブラインド検出回数をより合理的に割り当てることができ、同様に端末機器のチャネル推定の複雑さを低減する問題を解決できる。
【００７５】
本出願の様々な実施例において、前記各プロセスの番号の大きさは実行する前後順番を意味せず、各プロセスの実行順番は、その機能と内部論理によって決定されるべきであり、本出願の実施例の実施プロセスに対してあらゆる制限を構成してはならないことを理解されたい。
【００７６】
さらに、本明細書における「及び／または」という用語は、関連付けられたオブジェクトを説明する単なる関連付けであり、３種類の関係が存在することができることを示し、例えば、Ａ及び／またはＢは、Ａが独立で存在する場合、ＡとＢが同時に存在する場合、Ｂが独立で存在する場合など３つの場合を表す。さらに、本明細書における文字「／」は、一般的に、コンテキストオブジェクトが「または」の関係であることを示す。
【００７７】
本明細書における図１及び図２を参照して、本出願の実施例に係るＰＤＣＣＨのブラインド検出のための方法を詳細に説明し、以下、図３及び図４を参照して、本出願の実施例に係る端末機器を説明する。
【００７８】
図３に示されたように、本出願の実施例に係る端末機器２００は、処理ユニット２１０及び検出ユニット２２０を含み、選択的に、受信ユニット２３０をさらに含む。具体的に、前記処理ユニット２１０は、端末機器の少なくとも１つの検索スペースにおけるＰＤＣＣＨの検索回数がブラインド検出の最大回数より大きい場合、前記少なくとも１つの検索スペースに含まれた、ｎ個の専用検索スペースにおけるＰＤＣＣＨの検索回数を削減し、及び／または前記少なくとも１つの検索スペースに含まれた、ｍ個の共通検索スペースにおけるＰＤＣＣＨの検索回数を削減し、削減後の前記少なくとも１つの検索スペースにおけるＰＤＣＣＨの検索回数が前記ブラインド検出の最大回数より小さいか等しいように構成され、ここで、ｎ及びｍは０より大きいか等しい整数であり、ｎ及びｍは同時に０ではない。前記検出ユニット２００は、削減後の前記少なくとも１つの検索スペースにおけるＰＤＣＣＨの検索回数に従って、前記少なくとも１つの検索スペース内のＰＤＣＣＨのブラインド検出を実行するように構成される。
【００７９】
したがって、本出願の実施例の端末機器において、少なくとも１つの検索スペースにおけるＰＤＣＣＨの検索回数がブラインド検出の最大回数より大きい場合、特定のプリセットのルールに従って、少なくとも１つの検索スペースにおけるＰＤＣＣＨの検索回数を前記ＰＤＣＣＨの検索回数がブラインド検出の最大回数より小さいか等しいまで削減することにより、端末機器はブラインド検出回数をより合理的に割り当てることができ、同様に端末機器のチャネル推定の複雑さを低減する問題を解決できる。
【００８０】
選択的に、ｎ及びｍは０より大きい正数であり、前記処理ユニット２１０は具体的に、プリセットのルールに従って、前記ｎ個の専用検索スペースにおけるＰＤＣＣＨの検索回数を削減した後、削減された前記少なくとも１つの検索スペースにおけるＰＤＣＣＨの検索回数が前記ブラインド検出の最大回数より大きい場合、前記ｍ個の共通検索スペースにおけるＰＤＣＣＨの検索回数を削減し、または、削減された前記少なくとも１つの検索スペースにおけるＰＤＣＣＨの検索回数が前記ブラインド検出の最大回数より小さいか等しい場合、前記ｍ個の共通検索スペースにおけるＰＤＣＣＨの検索回数を削減することを実行しないように構成される。
【００８１】
選択的に、前記プリセットのルールは、前記処理ユニット２１０が、前記ｎ個の専用検索スペースにおける低レベルのＰＤＣＣＨ集約レベルに対応するＰＤＣＣＨの検索回数を優先的に削減することを含む。
【００８２】
選択的に、前記プリセットのルールは、前記処理ユニット２１０が、第１のプリセットの順番に従って、前記ｎ個の専用検索スペース内の異なるＰＤＣＣＨ集約レベルに対応するＰＤＣＣＨの検索回数を順次に削減することを含み、前記第１のプリセットの順番は、前記ｎ個の専用検索スペース内のＰＤＣＣＨ集約レベルが低い方から高い方への順番である。
【００８３】
選択的に、前記プリセットのルールは、前記ｎ個の専用検索スペース内で第１の専用検索スペースの第１のＰＤＣＣＨ集約レベルを削減した後、前記少なくとも１つの検索スペースにおけるＰＤＣＣＨの検索回数が前記ブラインド検出の最大回数より小さいか等しい条件を満たす場合、前記処理ユニット２１０は前記少なくとも１つの検索スペースにおけるＰＤＣＣＨの検索回数の削減に対する実行を停止することをさらに含み、ここで、前記第１の専用検索スペースは前記ｎ個の専用検索スペースのいずれか１つの専用検索スペースであり、前記第１のＰＤＣＣＨ集約レベルは前記ｎ個の専用検索スペースのいずれか１つのＰＤＣＣＨ集約レベルである。
【００８４】
選択的に、前記第１のプリセットの順番は、同じＰＤＣＣＨ集約レベルを含む複数の専用検索スペースがある場合、前記複数の専用検索スペースはインデックス値の小さい方から大きい方への順番であることをさらに含む。
【００８５】
選択的に、前記第１のプリセットのルールは、前記処理ユニット２１０が、前記ｎ個の専用検索スペース内の、インデックス値が小さい専用検索スペースにおけるＰＤＣＣＨの検索回数を優先的に削減することを含む。
【００８６】
選択的に、前記プリセットのルールは、いずれか１つの専用検索スペースにおいて、前記端末機器が低レベルのＰＤＣＣＨ集約レベルに対応するＰＤＣＣＨの検索回数を優先的に削減することをさらに含む。
【００８７】
選択的に、前記プリセットのルールは、具体的に、前記処理ユニット２１０が、第２のプリセットの順番に従って、前記ｎ個の専用検索スペース内の異なる検索スペースに対応するＰＤＣＣＨの検索回数を含み、前記第２のプリセットの順番は、前記ｎ個の専用検索スペースのインデックス値の低い方から高い方への順番である。
【００８８】
選択的に、前記プリセットのルールは、前記ｎ個の専用検索スペースで第２の専用検索スペースの第２のＰＤＣＣＨ集約レベルを削減した後、前記少なくとも１つの検索スペースにおけるＰＤＣＣＨの検索回数が前記ブラインド検出の最大回数より小さいか等しい条件を満たす場合、前記処理ユニット２１０が前記少なくとも１つの検索スペースにおけるＰＤＣＣＨの検索回数の削減に対する実行を停止することをさらに含み、ここで、前記第２の専用検索スペースは前記ｎ個の専用検索スペースのいずれか１つの専用検索スペースであり、前記第２のＰＤＣＣＨ集約レベルは前記ｎ個の専用検索スペースのいずれか１つのＰＤＣＣＨ集約レベルである。
【００８９】
選択的に、前記第２のプリセットの順番は、同じ専用検索スペース内でＰＤＣＣＨ集約レベルが低い方から高い方への順番であることをさらに含む。
【００９０】
選択的に、前記ｎ個の専用検索スペース内の異なるＰＤＣＣＨ集約レベルが削減されるＰＤＣＣＨの検索回数は異なる。
【００９１】
選択的に、前記ｎ個の専用検索スペース内で各ＰＤＣＣＨ集約レベルが削減するＰＤＣＣＨの検索回数は事前に構成される。
【００９２】
選択的に、前記受信ユニット２３０は、ネットワークによって送信され第１の指示情報を受信するように構成され、前記第１の指示情報は前記ｎ個の専用検索スペース内で各ＰＤＣＣＨ集約レベルに対応する、削減されたＰＤＣＣＨの検索回数を指示する。
【００９３】
選択的に、前記プリセットのルールは、前記ｎ個の専用検索スペース内の第３のＰＤＣＣＨ集約レベルに対応するＰＤＣＣＨが占用する時間周波数リソースが、第４のＰＤＣＣＨ集約レベルに対応するＰＤＣＣＨが占用する時間周波数リソースと重複する場合、前記処理ユニット２１０は第３のＰＤＣＣＨ集約レベル及び／または前記第４のＰＤＣＣＨ集約レベルに対応するＰＤＣＣＨの検索回数を０に削減することを含み、ここで、前記第３のＰＤＣＣＨ集約レベルは前記第４のＰＤＣＣＨ集約レベルより低い。
【００９４】
選択的に、前記受信ユニット２３０は、ネットワーク機器によって送信された第２の指示情報を受信するように構成され、前記第２の指示情報は、前記第３のＰＤＣＣＨ集約レベル及び／または前記第４のＰＤＣＣＨ集約レベルに対応するＰＤＣＣＨ検索回数を０に削減する。
【００９５】
本出願の実施例に係る端末機器２００は本出願の実施例における方法１００を実行することに対応でき、さらに端末機器２００における各ユニットの上述した及び他の操作及び／または機能は、それぞれ図１及び図２における各方法の端末機器の対応するプロセスを具現するためであることを理解されたい。簡潔のために、ここで再び説明しない。
【００９６】
したがって、本出願の実施例の端末機器において、少なくとも１つの検索スペースにおけるＰＤＣＣＨの検索回数がブラインド検出の最大回数より大きい場合、特定のプリセットのルールに従って、少なくとも１つの検索スペースにおけるＰＤＣＣＨの検索回数を前記ＰＤＣＣＨの検索回数がブラインド検出の最大回数より小さいか等しいまで削減することにより、端末機器はブラインド検出回数をより合理的に割り当てることができ、同様に端末機器のチャネル推定の複雑さを低減する問題を解決できる。
【００９７】
図４は、本出願の実施例に係る端末機器３００のブロック図を示し。図４に示されたように、前記端末機器３００は、プロセッサ３１０及びトランシーバ３２０を含み、プロセッサ３１０とトランシーバ３２０は接続され、選択的に、端末機器３００はメモリ３３０をさらに含み、メモリ３３０とプロセッサ３１０は接続される。ここで、プロセッサ３１０、メモリ３３０及びトランシーバ３２０の間は内部接続回路によってお互い通信、伝送及び／またはデータ信号を制御し、前記メモリ３３０は命令を記憶するように構成でき、前記プロセッサ３１０はトランシーバ３２０によってメッセージまたはデータを送信することを制御するために、前記メモリ３３０に記憶された命令を実行するように構成され、前記プロセッサ３１０は、端末機器の少なくとも１つの検索スペースにおけるＰＤＣＣＨの検索回数がブラインド検出の最大回数より大きい場合、前記少なくとも１つの検索スペースに含まれた、ｎ個の専用検索スペースにおけるＰＤＣＣＨの検索回数を削減し、及び／または前記少なくとも１つの検索スペースに含まれた、ｍ個の共通検索スペースにおけるＰＤＣＣＨの検索回数を削減し、削減された前記少なくとも１つの検索スペースにおけるＰＤＣＣＨの検索回数が前記ブラインド検出の最大回数より小さいか等しいように構成され、ここで、ｎ及びｍは０より大きいか等しい整数であり、ｎ及びｍは同時に０ではない。前記検出ユニット２００は、削減後の前記少なくとも１つの検索スペースにおけるＰＤＣＣＨの検索回数に従って、前記少なくとも１つの検索スペース内のＰＤＣＣＨのブラインド検出を実行する。
【００９８】
したがって、本出願の実施例の端末機器において、少なくとも１つの検索スペースにおけるＰＤＣＣＨの検索回数がブラインド検出の最大回数より大きい場合、特定のプリセットのルールに従って、少なくとも１つの検索スペースにおけるＰＤＣＣＨの検索回数を前記ＰＤＣＣＨの検索回数がブラインド検出の最大回数より小さいか等しいまで削減することにより、端末機器はブラインド検出回数をより合理的に割り当てることができ、同様に端末機器のチャネル推定の複雑さを低減する問題を解決できる。
【００９９】
選択的に、一実施例として、ｎ及びｍは０より大きい正数であり、前記プロセッサ３１０は具体的に、プリセットのルールに従って、前記ｎ個の専用検索スペースにおけるＰＤＣＣＨの検索回数を削減した後、削減された前記少なくとも１つの検索スペースにおけるＰＤＣＣＨの検索回数が前記ブラインド検出の最大回数より大きい場合、前記ｍ個の共通検索スペースにおけるＰＤＣＣＨの検索回数を削減し、または、削減された前記少なくとも１つの検索スペースにおけるＰＤＣＣＨの検索回数が前記ブラインド検出の最大回数より小さいか等しい場合、前記ｍ個の共通検索スペースにおけるＰＤＣＣＨの検索回数を削減することを実行しないように構成される。
【０１００】
選択的に、一実施例として、前記プリセットのルールは、前記プロセッサ３１０が、前記ｎ個の専用検索スペースにおける低レベルのＰＤＣＣＨ集約レベルに対応するＰＤＣＣＨの検索回数を優先的に削減することを含む。
【０１０１】
選択的に、一実施例として、前記プリセットのルールは、前記プロセッサ３１０が、第１のプリセットの順番に従って、前記ｎ個の専用検索スペース内の異なるＰＤＣＣＨ集約レベルに対応するＰＤＣＣＨの検索回数を順次に削減することを含み、前記第１のプリセットの順番は、前記ｎ個の専用検索スペース内のＰＤＣＣＨ集約レベルが低い方から高い方への順番である。
【０１０２】
選択的に、一実施例として、前記プリセットのルールは、前記ｎ個の専用検索スペース内で第１の専用検索スペースの第１のＰＤＣＣＨ集約レベルを削減した後、前記少なくとも１つの検索スペースにおけるＰＤＣＣＨの検索回数が前記ブラインド検出の最大回数より小さいか等しい条件を満たす場合、前記プロセッサ３１０は前記少なくとも１つの検索スペースにおけるＰＤＣＣＨの検索回数の削減に対する実行を停止することをさらに含み、ここで、前記第１の専用検索スペースは前記ｎ個の専用検索スペースのいずれか１つの専用検索スペースであり、前記第１のＰＤＣＣＨ集約レベルは前記ｎ個の専用検索スペースのいずれか１つのＰＤＣＣＨ集約レベルである。
【０１０３】
選択的に、一実施例として、前記第１のプリセットの順番は、同じＰＤＣＣＨ集約レベルを含む複数の専用検索スペースがある場合、前記複数の専用検索スペースはインデックス値の小さい方から大きい方への順番であることをさらに含む。
【０１０４】
選択的に、一実施例として、前記第１のプリセットのルールは、前記プロセッサ３１０が、前記ｎ個の専用検索スペース内の、インデックス値が小さい専用検索スペースにおけるＰＤＣＣＨの検索回数を優先的に削減することを含む。
【０１０５】
選択的に、一実施例として、前記プリセットのルールは、いずれか１つの専用検索スペースにおいて、前記端末機器が低レベルのＰＤＣＣＨ集約レベルに対応するＰＤＣＣＨの検索回数を優先的に削減することをさらに含む。
【０１０６】
選択的に、一実施例として、前記プリセットのルールは、具体的に、前記プロセッサ３１０が、第２のプリセットの順番に従って、前記ｎ個の専用検索スペース内の異なる検索スペースに対応するＰＤＣＣＨの検索回数を含み、前記第２のプリセットの順番は、前記ｎ個の専用検索スペースのインデックス値の低い方から高い方への順番である。
【０１０７】
選択的に、一実施例として、前記プリセットのルールは、前記ｎ個の専用検索スペースで第２の専用検索スペースの第２のＰＤＣＣＨ集約レベルを削減した後、前記少なくとも１つの検索スペースにおけるＰＤＣＣＨの検索回数が前記ブラインド検出の最大回数より小さいか等しい条件を満たす場合、前記プロセッサ３１０が前記少なくとも１つの検索スペースにおけるＰＤＣＣＨの検索回数の削減に対する実行を停止することをさらに含み、ここで、前記第２の専用検索スペースは前記ｎ個の専用検索スペースのいずれか１つの専用検索スペースであり、前記第２のＰＤＣＣＨ集約レベルは前記ｎ個の専用検索スペースのいずれか１つのＰＤＣＣＨ集約レベルである。
【０１０８】
選択的に、一実施例として、前記第２のプリセットの順番は、同じ専用検索スペース内でＰＤＣＣＨ集約レベルが低い方から高い方への順番であることをさらに含む。
【０１０９】
選択的に、一実施例として、前記ｎ個の専用検索スペース内の異なるＰＤＣＣＨ集約レベルが削減されるＰＤＣＣＨの検索回数は異なる。
【０１１０】
選択的に、一実施例として、前記ｎ個の専用検索スペース内で各ＰＤＣＣＨ集約レベルが削減するＰＤＣＣＨの検索回数は事前に構成される。
【０１１１】
選択的に、一実施例として、前記トランシーバ３２０は、ネットワークによって送信され第１の指示情報を受信するように構成され、前記第１の指示情報は前記ｎ個の専用検索スペース内で各ＰＤＣＣＨ集約レベルに対応する、削減されたＰＤＣＣＨの検索回数を指示する。
【０１１２】
選択的に、一実施例として、前記プリセットのルールは、前記ｎ個の専用検索スペース内の第３のＰＤＣＣＨ集約レベルに対応するＰＤＣＣＨが占用する時間周波数リソースが、第４のＰＤＣＣＨ集約レベルに対応するＰＤＣＣＨが占用する時間周波数リソースと重複する場合、前記プロセッサ３１０は第３のＰＤＣＣＨ集約レベル及び／または前記第４のＰＤＣＣＨ集約レベルに対応するＰＤＣＣＨの検索回数を０に削減することを含み、ここで、前記第３のＰＤＣＣＨ集約レベルは前記第４のＰＤＣＣＨ集約レベルより低い。
【０１１３】
選択的に、一実施例として、前記受信ユニット２３０は、ネットワーク機器によって送信された第２の指示情報を受信するように構成され、前記第２の指示情報は、前記第３のＰＤＣＣＨ集約レベル及び／または前記第４のＰＤＣＣＨ集約レベルに対応するＰＤＣＣＨ検索回数を０に削減する。
【０１１４】
本出願の実施例に係る端末機器３００は本出願の実施例における端末機器２００に対応でき、さらに本出願の実施例に係る方法１００における対応する主体を実行することに対応でき、さらに端末機器３００における各ユニットの上述した及び他の操作及び／または機能は、それぞれ図１及び図２における各方法の端末機器の対応するプロセスを具現するためであることを理解されたい。簡潔のために、ここで再び説明しない。
【０１１５】
したがって、本出願の実施例の端末機器において、少なくとも１つの検索スペースにおけるＰＤＣＣＨの検索回数がブラインド検出の最大回数より大きい場合、特定のプリセットのルールに従って、少なくとも１つの検索スペースにおけるＰＤＣＣＨの検索回数を前記ＰＤＣＣＨの検索回数がブラインド検出の最大回数より小さいか等しいまで削減することにより、端末機器はブラインド検出回数をより合理的に割り当てることができ、同様に端末機器のチャネル推定の複雑さを低減する問題を解決できる。
【０１１６】
本出願の前記方法の実施例は、プロセッサに適用されてもよく、またはプロセッサによって実現されてもよいことに留意されたい。プロセッサは、信号処理機能を備える集積回路チップであることができる。実現プロセスにおいて、前記方法の実施例の各ステップは、プロセッサにおけるハードウェアの集積論理回路またはソフトウェアの形によって実現することができる。前述したプロセッサは、汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブルロジックデバイス、ディスクリートゲートまたはトランジスタロジックデバイス、ディスクリートハードウェアデバイスなどであってもよい。前述したプロセッサは、本出願の実施例における開示される各方法、ステップ及び論理ブロック図を実現または実行することができる。汎用プロセッサは、マイクロプロセッサであってもよく、または前記プロセッサは任意の従来のプロセッサなどであってもよい。本出願の実施例に開示された方法のステップに合わせて、ハードウェア復号化プロセッサに直接に具現されることができ、または復号化プロセッサにおけるハードウェア及びソフトウェアモジュールの組み合わせによって実行されてもよい。ソフトウェアモジュールは、ランダムアクセスメモリ、フラッシュメモリ、読み取り専用メモリ、プログラマブル読み取り専用メモリまたは電気的に消去可能なプログラマブルメモリ、レジスタなど本分野の従来の記憶媒体に配置されることができる。前記記憶媒体はメモリに配置され、プロセッサがメモリ内の情報を読み取って、そのハードウェアと組み合わせて前記方法のステップを完成する。
【０１１７】
本出願の実施例におけるメモリは、揮発性メモリまたは非揮発性メモリであってもよく、または揮発性及び非揮発性メモリ両者の両方を含んでもよいことを理解されたい。ここで、非揮発性メモリは、読み取り専用メモリ（ＲＯＭ：ｒｅａｄ−ｏｎｌｙ  ｍｅｍｏｒｙ）、プログラム可能な読み取り専用メモリ（ＰＲＯＭ：ｐｒｏｇｒａｍｍａｂｌｅ  ｒｏｍ）、消去可能なプログラム可能な読み取り専用メモリ（ＥＰＲＯＭ：ｅｒａｓａｂｌｅ  ＰＲＯＭ）、電気的消去可能なプログラム可能な読み取り専用メモリ（ＥＥＰＲＯＭ：ｅｌｅｃｔｒｉｃａｌｌｙ  ＥＰＲＯＭ）またはフラッシュメモリであってもよい。揮発性メモリは、外部キャッシュ（Ｅｘｔｅｒｎａｌ  ｃａｃｈｅ）として、ランダムアクセスメモリ（ＲＡＭ：ｒａｎｄｏｍ  ａｃｃｅｓｓ  ｍｅｍｏｒｙ）であってもよい。例示的であるが限定的な説明ではないが、例えば、スタティックランダムアクセスメモリ（ＳＲＡＭ：ｓｔａｔｉｃ  ＲＡＭ）、ダイナミックランダムアクセスメモリ（ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、強化された同期ダイナミックランダムアクセスメモリ（ＥＳＤＲＡＭ：ｅｎｈａｎｃｅｄ  ＳＤＲＡＭ）、ダイナミックランダムアクセスメモリの同期接続（ＳＬＤＲＡＭ：ｓｙｎｃｈｌｉｎｋ  ＤＲＡＭ）及びダイレクトメモリバスランダムアクセスメモリ（ＤＲ  ＲＡＭ：ｄｉｒｅｃｔ  ｒａｍｂｕｓ  ＲＡＭ）など様々な形のＲＡＭを使用することができる。本明細書で説明するシステム及び方法のメモリは、これら及び任意の他の適切なタイプのメモリを含むがこれに限定されないことを意図することに留意されたい。
【０１１８】
当業者は、本明細書で開示された実施例で説明された各例示のユニット及びアルゴリズムステップに合わせて、電子ハードウェア、またはコンピュータソフトウェア及び電子ハードウェアの組み合わせによって実現することができることを理解するであろう。これらの機能がハードウェアで実行されるかソフトウェアで実行されるかは、技術的解決策の特定の応用及び設計の制約条件に依存する。専門技術者は、各特定の応用に対して異なる方法を使用して説明された機能を実現することができるが、このような実現は本出願の範囲を超えると見なされるべきではない。
【０１１９】
当業者は、説明の便宜上及び簡潔さのために、前記説明されたシステム、装置及びユニットの具体的な作業プロセスは、前述の方法の実施例における対応するプロセスを参照することができることを明確に理解することができ、詳細はここでは再度説明しない。
【０１２０】
本出願によって提供されるいくつかの実施例では、開示されたシステム、装置及び方法は、他の方法で実現され得ることを理解されたい。例えば、上記で説明された装置の実施例は単なる例示的であり、例えば、前記ユニットの分割は論理的な機能の分割に過ぎない。実際の実現の際に、例えば、複数のユニットまたはコンポーネントを組み合わせたり、または別のシステムに統合されたり、または一部の特徴は無視するか実行しない等、別の分割方法が存在することができる。加えて、表示または議論される相互結合または直接結合または通信接続は、いくつかのインターフェイス、装置またはユニットを介した間接な結合または通信接続であり得、電気的、機械的または他の形態であり得る。
【０１２１】
前記個別の部品として説明されるユニットは、物理的に分離される場合とされない場合があり、ユニットとして表示される部品は、物理ユニットである場合とそうでない場合がある。即ち、ある場所に位置するか、または複数のネットワークユニットに分散されることもできる。実際のニーズに従って、その中のユニットの一部または全部を選択して本実施例の技術案の目的を実現することができる。
【０１２２】
さらに、本出願の各実施例における各機能ユニットは、１つの処理ユニットに統合されてもよく、各ユニットが物理的に別個に存在してもよく、２つまたは２つ以上のユニットが１つのユニットに統合されてもよい。
【０１２３】
前記機能は、ソフトウェア機能ユニットの形で実装され、独立した製品として販売または使用される場合、１つのコンピュータ読み取り可能な取記憶媒体に記憶することができる。このような理解に基づいて、本出願の技術的解決策は、本質でまたは先行技術に対して貢献のある部分または当該技術の解決策の一部は、ソフトウェア製品の形で具現されることができ、当該コンピュータソフトウェア製品は、１つの記憶媒体に記憶されて、一台のコンピュータ装置（パーソナルコンピュータ、サーバ、またはネットワークデバイスなどであり得る）が本出願の各実施例に記載の方法の全部または一部のステップ実行させるために、いくつかの命令を含む。上記した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々な媒体を含む。
【０１２４】
上記の説明は本出願の具体的な実施形態に過ぎず、本出願の保護範囲はそれに限定せず、当業者が本出願に開示された技術的範囲内で容易に想到し得る変更または置換は、すべて本出願の保護範囲内に含まれるべきある。したがって、本出願の保護範囲は、特許請求の保護範囲を基準とするべきである。
【図１】
2021517757.tif 000004
【図２】
2021517757.tif 000005
【図３】
2021517757.tif 000006
【図４】
2021517757.tif 000007
【手続補正書】
【提出日】令和3年1月19日(2021.1.19)
【手続補正１】
【補正対象書類名】明細書
【補正対象項目名】全文
【補正方法】変更
【補正の内容】
【発明の詳細な説明】
【技術分野】
【０００１】
本出願は、通信分野に関し、特に物理ダウンリンク制御チャネルのブラインド検出のための方法及び端末機器に関する。
【背景技術】
【０００２】
ロングタームエボリューション（ＬＴＥ：Ｌｏｎｇ  Ｔｅｒｍ  Ｅｖｏｌｕｔｉｏｎ）において、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）はシステムの制御領域で伝送し、システムの制御領域はシステム帯域幅全体を占用する。占用された領域のシンボル数は１〜４つのシンボルであり、シンボル数は、物理制御フォーマットインジケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）によって端末機器に通知できる。
【０００３】
５世代（５Ｇ：５ｔｈ  ｇｅｎｅｒａｔｉｏｎ）システムのニューラジオ（ＮＲ：ｎｅｗ  ｒａｄｉｏ）の技術的な議論に制御リソースセット（ＣＯＲＥＳＥＴ：Ｃｏｎｔｒｏｌ  ｒｅｓｏｕｒｃｅ  ｓｅｔ）の概念を導入し、ＣＯＲＥＳＥＴはＰＤＣＣＨ検索スペースが占用する時間領域リソース及び時間領域の長さを構成し、時間的にいくつかの直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを占用することなど、ネットワーク機器は端末機器に対して複数のＣＯＲＥＳＥＴを構成でき、ネットワーク機器が構成した検索スペースは特定のＣＯＲＥＳＥＴに関連付けられ、さらに検索スペースの関連パラメータを構成することにより検索スペースが占用する時間周波数リソースの位置を決定する。
【０００４】
端末機器が、ネットワーク機器により構成された検索スペースでＰＤＣＣＨをブラインド検出し、シングルキャリアまたはマルチキャリアなどに従って端末機器のブラインド検出回数を定義し、または、端末機器がタイムスロット粒度に基づくＰＤＣＣＨの検出をサポートするか、またはマイクロタイムスロット粒度に基づくＰＤＣＣＨの検出をサポートするかに従って、ブラインド検出回数を定義するなど、現在のＮＲシステムでの端末機器のブラインド検出機能を異なる次元から定義する。
【０００５】
ネットワーク機器は端末機器に対して複数の検索スペースを構成でき、各検索スペースで異なる集約レベルに対応する候補ＰＤＣＣＨの数を構成し、つまり異なる集約レベルに対応するＰＤＣＣＨのブラインド検出の数に対応する。より効果的にＰＤＣＣＨリソースを使用するために、ネットワーク機器は特定のタイムスロットに構成した候補ＰＤＣＣＨの総数が端末機器の検出能力を超えることができ、即ち端末機器が支持するブラインド検出の最大回数を超える場合であり、この場合、端末機器がどのようにＰＤＣＣＨのブラインド検出を効果的に実行するかは解決すべき問題である。
【発明の概要】
【発明が解決しようとする課題】
【０００６】
本出願は、端末機器のＰＤＣＣＨのブラインド検出の数を合理的に構成するために、ＰＤＣＣＨのブラインド検出のための方法及び端末機器を提供する。
【課題を解決するための手段】
【０００７】
第１の態様において、端末機器の少なくとも１つの検索スペースにおけるＰＤＣＣＨのブラインド検出の数がブラインド検出の最大回数より大きい場合、前記端末機器は、前記少なくとも１つの検索スペースに含まれた、ｎ個の専用検索スペースにおけるＰＤＣＣＨのブラインド検出の数を削減し、及び／または前記少なくとも１つの検索スペースに含まれた、ｍ個の共通検索スペースにおけるＰＤＣＣＨのブラインド検出の数を削減することであって、削減後の前記少なくとも１つの検索スペースにおけるＰＤＣＣＨのブラインド検出の数が前記ブラインド検出の最大回数より小さいか等しく、ｎ及びｍは０より大きいか等しい整数であり、ｎ及びｍは同時に０ではないことと、
前記端末機器が、削減後の前記少なくとも１つの検索スペースにおけるＰＤＣＣＨのブラインド検出の数に従って、前記少なくとも１つの検索スペースに対してＰＤＣＣＨのブラインド検出を実行することとを含む、ＰＤＣＣＨのブラインド検出のための方法を提供する。
【０００８】
したがって、本出願の実施例におけるＰＤＣＣＨのブラインド検出のための方法において、端末機器は少なくとも１つの検索スペースにおけるＰＤＣＣＨのブラインド検出の数がブラインド検出の最大回数より大きい場合、特定のプリセットのルールに従って、前記少なくとも１つの検索スペースにおけるＰＤＣＣＨのブラインド検出の数を、前記ＰＤＣＣＨのブラインド検出の数がブラインド検出の最大回数より小さいか等しくなるまで削減することにより、端末機器はブラインド検出回数をより合理的に割り当てることができ、同様に端末機器のチャネル推定の複雑さを低減する問題を解決できる。
【０００９】
第１の態様を参照すると、第１の態様の実施形態において、ｎ及びｍは０より大きい正数であり、前記端末機器が、前記少なくとも１つの検索スペースに含まれた、ｎ個の専用検索スペースにおけるＰＤＣＣＨのブラインド検出の数を削減し、及び／または前記少なくとも１つの検索スペースに含まれた、ｍ個の共通検索スペースにおけるＰＤＣＣＨのブラインド検出の数を削減することは、前記端末機器が、プリセットのルールに従って、前記ｎ個の専用検索スペースにおけるＰＤＣＣＨのブラインド検出の数を削減した後、削減後の前記少なくとも１つの検索スペースにおけるＰＤＣＣＨのブラインド検出の数が前記ブラインド検出の最大回数より大きい場合、前記端末機器は前記ｍ個の共通検索スペースにおけるＰＤＣＣＨのブラインド検出の数を削減すること、または、削減後の前記少なくとも１つの検索スペースにおけるＰＤＣＣＨのブラインド検出の数が前記ブラインド検出の最大回数より小さいか等しい場合、前記端末機器は前記ｍ個の共通検索スペースにおけるＰＤＣＣＨのブラインド検出の数を削減することを実行しないことを含む。
【００１０】
第１の態様及びその上記の実施形態に合わせて、第１の態様の別の実施形態において、前記プリセットのルールは、前記端末機器が、前記ｎ個の専用検索スペースにおける低レベルのＰＤＣＣＨ集約レベルに対応するＰＤＣＣＨのブラインド検出の数を優先的に削減することを含む。
【００１１】
第１の態様及びその上記の実施形態に合わせて、第１の態様の別の実施形態において、前記プリセットのルールは、前記端末機器が、第１のプリセットの順番に従って、前記ｎ個の専用検索スペース内の異なるＰＤＣＣＨ集約レベルに対応するＰＤＣＣＨのブラインド検出の数を順次に削減することを含み、前記第１のプリセットの順番は、前記ｎ個の専用検索スペース内のＰＤＣＣＨ集約レベルが低い方から高い方への順番である。
【００１２】
第１の態様及びその上記の実施形態に合わせて、第１の態様の別の実施形態において、前記プリセットのルールは、前記ｎ個の専用検索スペースで第１の専用検索スペースの第１のＰＤＣＣＨ集約レベルを削減した後、前記少なくとも１つの検索スペースにおけるＰＤＣＣＨのブラインド検出の数が前記ブラインド検出の最大回数より小さいか等しい条件を満たす場合、前記端末機器は、前記少なくとも１つの検索スペースにおけるＰＤＣＣＨのブラインド検出の数の削減に対する実行を停止することをさらに含み、前記第１の専用検索スペースは前記ｎ個の専用検索スペースのいずれか１つの専用検索スペースであり、前記第１のＰＤＣＣＨ集約レベルは前記ｎ個の専用検索スペースのいずれか１つのＰＤＣＣＨ集約レベルである。
【００１３】
第１の態様及びその上記の実施形態に合わせて、第１の態様の別の実施形態において、前記第１のプリセットの順番は、同じＰＤＣＣＨ集約レベルを含む複数の専用検索スペースがある場合、前記複数の専用検索スペースはインデックス値の小さい方から大きい方への順番であることをさらに含む。
【００１４】
第１の態様及びその上記の実施形態に合わせて、第１の態様の別の実施形態において、前記プリセットのルールは、前記端末機器が、前記ｎ個の専用検索スペース内の、インデックス値が小さい専用検索スペースにおけるＰＤＣＣＨのブラインド検出の数を優先的に削減することを含む。
【００１５】
第１の態様及びその上記の実施形態に合わせて、第１の態様の別の実施形態において、前記プリセットのルールは、いずれか１つの専用検索スペースにおいて、前記端末機器が、低レベルのＰＤＣＣＨ集約レベルに対応するＰＤＣＣＨのブラインド検出の数を優先的に削減することをさらに含む。
【００１６】
第１の態様及びその上記の実施形態に合わせて、第１の態様の別の実施形態において、前記プリセットのルールは、具体的に、前記端末機器が、第２のプリセットの順番に従って、前記ｎ個の専用検索スペース内の異なる検索スペースに対応するＰＤＣＣＨのブラインド検出の数削減することを含み、前記第２のプリセットの順番は、前記ｎ個の専用検索スペースのインデックス値の低い方から高い方への順番である。
【００１７】
第１の態様及びその上記の実施形態に合わせて、第１の態様の別の実施形態において、前記プリセットのルールは、前記ｎ個の専用検索スペースで第２の専用検索スペースの第２のＰＤＣＣＨ集約レベルを削減した後、前記少なくとも１つの検索スペースにおけるＰＤＣＣＨのブラインド検出の数が前記ブラインド検出の最大回数より小さいか等しい条件を満たす場合、前記端末機器が、前記少なくとも１つの検索スペースにおけるＰＤＣＣＨのブラインド検出の数の削減に対する実行を停止することをさらに含み、前記第２の専用検索スペースは前記ｎ個の専用検索スペースのいずれか１つの専用検索スペースであり、前記第２のＰＤＣＣＨ集約レベルは前記ｎ個の専用検索スペースのいずれか１つのＰＤＣＣＨ集約レベルである。
【００１８】
第１の態様及びその上記の実施形態に合わせて、第１の態様の別の実施形態において、前記第２のプリセットの順番は、同じ専用検索スペース内でＰＤＣＣＨ集約レベルが低い方から高い方への順番であることをさらに含む。
【００１９】
第１の態様及びその上記の実施形態に合わせて、第１の態様の別の実施形態において、前記ｎ個の専用検索スペース内の異なるＰＤＣＣＨ集約レベルが削減されるＰＤＣＣＨのブラインド検出の数は異なる。
【００２０】
第１の態様及びその上記の実施形態に合わせて、第１の態様の別の実施形態において、前記ｎ個の専用検索スペース内で各ＰＤＣＣＨ集約レベルが削減されるＰＤＣＣＨのブラインド検出の数は事前に構成されている。
【００２１】
第１の態様及びその上記の実施形態に合わせて、第１の態様の別の実施形態において、前記方法は、前記端末機器が、ネットワーク機器によって送信された第１の指示情報を受信することであって、前記第１の指示情報は、前記ｎ個の専用検索スペース内で各ＰＤＣＣＨ集約レベルに対応する、削減されたＰＤＣＣＨのブラインド検出の数を指示することをさらに含む。
【００２２】
第１の態様及びその上記の実施形態に合わせて、第１の態様の別の実施形態において、前記プリセットのルールは、前記ｎ個の専用検索スペース内の第３のＰＤＣＣＨ集約レベルに対応するＰＤＣＣＨが占用する時間周波数リソースが、第４のＰＤＣＣＨ集約レベルに対応するＰＤＣＣＨが占用する時間周波数リソースと重複する場合、前記端末機器は第３のＰＤＣＣＨ集約レベル及び／または前記第４のＰＤＣＣＨ集約レベルに対応するＰＤＣＣＨのブラインド検出の数を０に削減することを含み、ここで、前記第３のＰＤＣＣＨ集約レベルは前記第４のＰＤＣＣＨ集約レベルより低い。
【００２３】
第１の態様及びその上記の実施形態に合わせて、第１の態様の別の実施形態において、前記方法は、前記端末機器が、ネットワーク機器によって送信された第２の指示情報を受信することであって、前記第２の指示情報は、前記第３のＰＤＣＣＨ集約レベル及び／または前記第４のＰＤＣＣＨ集約レベルに対応するＰＤＣＣＨ検索回数を０に削減することをさらに含む。
【００２４】
ＰＤＣＣＨをブラインド検出する時のチャネル推定複雑さを考えて、複数の検索スペース内の、チャネル推定を実行する必要があるＣＣＥの総数と関連することを理解されたい。例えば、端末機器が支持する最大のＣＣＥのチャネル推定数は４８個であり、端末機器の最大のＣＣＥのチャネル推定数を超える時、同様に前記方法を採用して、少なくとも１つの検索スペース内の、チャネル推定を実行する必要があるＣＣＥの総数を削減し、即ち端末機器は、少なくとも１つの検索スペース内のｎ個の専用検索スペース及び／またはｍ個の専用検索スペースに対応するＰＤＣＣＨのブラインド検出の数を削減し、対応する同様にチャネル推定を実行する必要があるＣＣＥも数削減し、ＰＤＣＣＨのブラインド検出の数がブラインド検出の最大回数より小さいか等しいことを満たすまで削減するプロセスでは、対応する少なくとも１つの検索スペースに対応するチャネル推定を実行する必要があるＣＣＥの総数が最大回数よりまだ大きい場合、前記少なくとも１つの検索スペース内のｎ個の専用検索スペース及び／またはｍ個の専用検索スペースに対応するＰＤＣＣＨのブラインド検出の数を引き続き削減でき、対応する少なくとも１つの検索スペース内のチャネル推定を実行する必要があるＣＣＥの総数が最大回数より小さいか等しい時に停止し、これで端末機器のチャネル推定の複雑さを低減する問題を有効的に解決できる。したがって、本出願の実施例における端末機器のブラインド検出数を削減する方法は端末機器がＰＤＣＣＨをブラインド検出する時チャネル推定を実行する複雑さを低減する問題を解決するために同様に使用される。
【００２５】
したがって、本出願の実施例におけるＰＤＣＣＨのブラインド検出のための方法において、端末機器は少なくとも１つの検索スペースにおけるＰＤＣＣＨのブラインド検出の数がブラインド検出の最大回数より大きい場合、特定のプリセットのルールに従って、少なくとも１つの検索スペースにおけるＰＤＣＣＨのブラインド検出の数を前記ＰＤＣＣＨのブラインド検出の数がブラインド検出の最大回数より小さいか等しいまで削減することにより、端末機器はブラインド検出回数をより合理的に割り当てることができ、同様に端末機器のチャネル推定の複雑さを低減する問題を解決できる。
【００２６】
第２の態様において、前記第１の態様または第１の態様の任意の可能な実施形態における方法を実行するように構成される端末機器を提供する。具体的に、前記端末機器は、前記第１の態様または第１の態様の任意の可能な実施形態における方法を実行するように構成されるユニットを含む。
【００２７】
第３態様において、メモリユニット及びプロセッサを含む端末機器を提供し、前記メモリユニットは命令を記憶するように構成され、前記プロセッサは前記メモリに記憶された命令を実行するように構成され、さらに前記プロセッサが前記メモリに記憶された命令を実行するとき、前記プロセッサに第１の態様または第１の態様の任意の可能な実施形態における方法を実行させる。
【００２８】
第４の態様において、コンピュータプログラムを記憶するように構成されるコンピュータ読み取り可能な媒体を提供し、前記コンピュータプログラムは第１の態様または第１の態様の任意の可能な実施形態における方法を実行するための命令を含む。
【００２９】
第５の態様において、命令を含むコンピュータプログラム製品を提供し、コンピュータが前記コンピュータプログラム製品の前記命令を実行する場合、前記コンピュータは前記第１の態様または第１の態様の任意の可能な実施形態におけるＰＤＣＣＨのブラインド検出のための方法を実行する。具体的に、前記コンピュータプログラム製品は前記第２の態様の端末機器で実行できる。
【図面の簡単な説明】
【００３０】
【図１】本出願の実施例に係るＰＤＣＣＨのブラインド検出のための方法の例示的なフローチャートである。
【図２】本出願の実施例に係る特別な検索スペースブロックの例示図である。
【図３】本出願の実施例に係る端末機器の例示的なブロック図である。
【図４】本出願の実施例に係る端末機器の別の例示的なブロック図である。
【発明を実施するための形態】
【００３１】
以下、本出願の実施例における技術的解決策を図面を参照して説明する。
【００３２】
本出願の実施例の技術的解決策は、例えば、グローバル移動通信（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分割多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割二重（ＦＤＤ：Ｆｒｅｑｕｅｎｃｙ  Ｄｉｖｉｓｉｏｎ  Ｄｕｐｌｅｘ）システム、ＬＴＥ時分割二重（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスのための世界的な相互運用性（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、未来の第５世代（５Ｇ：５ｔｈ  Ｇｅｎｅｒａｔｉｏｎ）システムまたはニューラジオ（ＮＲ：Ｎｅｗ  Ｒａｄｉｏ）など、様々な通信システムに適応することができる。
【００３３】
本出願の実施例における端末機器は、ユーザデバイス、アクセス端末、ユーザユニット、ユーザステーション、移動局、移動局、遠隔局、遠隔端末、移動装置、ユーザ端末、端末、無線通信装置、ユーザエージェントまたはユーザ装置を指し得る。端末機器は、さらに携帯電話、コードレス電話、セッション開始プロトコル（ＳＩＰ：ｓｅｓｓｉｏｎ  ｉｎｉｔｉａｔｉｏｎ  ｐｒｏｔｏｃｏｌ）電話、無線ローカルループ（ＷＬＬ：ｗｉｒｅｌｅｓｓ  ｌｏｃａｌ  ｌｏｏｐ）ステーション、携帯情報端末（ＰＤＡ：ｐｅｒｓｏｎａｌ  ｄｉｇｉｔａｌ  ａｓｓｉｓｔａｎｔ）、ワイヤレス通信機能を備えたハンドヘルドデバイス、コンピューティングデバイスまたはワイヤレスモデムに接続されたその他の処理デバイス、車載装置、ウェアラブル装置、未来５Ｇネットワークにおける端末機器または未来進化の公衆陸上移動通信網（ＰＬＭＮ：ｐｕｂｌｉｃ  ｌａｎｄ  ｍｏｂｉｌｅ  ｎｅｔｗｏｒｋ）における端末機器などであることができ、本出願の実施例はこれに対して限定しない。
【００３４】
本出願の実施例におけるネットワーク機器は端末機器と通信するように構成された装置であってもよく、前記ネットワーク機器は、ＧＳＭまたはＣＤＭＡの基地局（Ｂａｓｅ  Ｔｒａｎｓｃｅｉｖｅｒ  Ｓｔａｔｉｏｎ、ＢＴＳ）であってもよく、ＷＣＤＭＡシステムの基地局（ＮｏｄｅＢ、ＮＢ）であってもよく、さらにＬＴＥシステムの進化型基地局（Ｅｖｏｌｕｔｉｏｎａｌ  ＮｏｄｅＢ、ｅＮＢまたはｅＮｏｄｅＢ）であってもよく、クラウド無線アクセスネットワーク（ＣＲＡＮ：Ｃｌｏｕｄ  Ｒａｄｉｏ  Ａｃｃｅｓｓ  Ｎｅｔｗｏｒｋ）シナリオでのワイヤレスコントローラであってもよく、または前記ネットワーク機器は、リレーステーション、アクセスポイント、車載装置、ウェアラブル装置及び未来５Ｇネットワークのネットワーク機器または未来進化のＰＬＭＮネットワークのネットワーク機器などであってもよく、本出願の実施例は限定されない。
【００３５】
図１は、本出願の実施例に係るＰＤＣＣＨのブラインド検出のための方法の例示的なフローチャートを示し、前記方法１００は端末機器によって実行できる。図１に示されたように、前記方法１００は、次のステップを含む。ステップＳ１１０において、端末機器の少なくとも１つの検索スペースにおけるＰＤＣＣＨのブラインド検出の数がブラインド検出の最大回数より大きい場合、前記端末機器は、前記少なくとも１つの検索スペースに含まれた、ｎ個の専用検索スペースにおけるＰＤＣＣＨのブラインド検出の数を削減し、及び／または前記少なくとも１つの検索スペースに含まれた、ｍ個の共通検索スペースにおけるＰＤＣＣＨのブラインド検出の数を削減することであって、削減後の前記少なくとも１つの検索スペースにおけるＰＤＣＣＨのブラインド検出の数が前記ブラインド検出の最大回数より小さいか等しく、ｎ及びｍは０より大きいか等しい整数であり、ｎ及びｍは同時に０ではない。ステップＳ１２０において、前記端末機器が、削減後の前記少なくとも１つの検索スペースにおけるＰＤＣＣＨのブラインド検出の数に従って、前記少なくとも１つの検索スペースに対してＰＤＣＣＨのブラインド検出を実行する。
【００３６】
本出願の実施例において、ネットワーク機器は端末機器に少なくとも１つの検索スペースを構成でき、前記少なくとも１つの検索スペースはｎ個の専用検索スペース及びｍ個の共通検索スペースを含み、ここで、ｎ及びｍは０より大きいか等しい正数であるが、ｎ及びｍは同時に０ではない。前記少なくとも１つの検索スペース内の任意の１つの検索スペースについて、例えば、前記任意の１つの検索スペースは専用検索スペースであってもよく、共通検索スペースであってもよく、ネットワーク機器は前記任意の検索スペースと特定のＣＯＲＥＳＥＴの関連関係及び関連するパラメータを介して、前記端末機器に前記検索スペースが占用する時間周波数リソースの位置を構成し、ここで、前記関連するパラメータは、検索スペースのモニタリング周期、モニタリング周期内の検索スペースのオフセットタイムスロットの数、１つのタイムスロット内の検索スペースの開始シンボル位置、検索スペースに含まれた１つまたは複数の集約レベル（ＡＬ：Ａｇｇｒｅｇａｔｉｏｎ  ｌｅｖｅｌ）及び各集約レベルでの候補ＰＤＣＣＨ数、及び検索スペースに対応するダウンリング制御情報（ＤＣＩ：Ｄｏｗｎｌｉｎｋ  Ｃｏｎｔｒｏｌ  Ｉｎｆｏｒｍａｔｉｏｎ）フォーマット中の少なくとも１つのパラメータを含む。
【００３７】
具体的に、ＮＲシステムにおいて、ＰＤＣＣＨは制御チャネルユニット（ＣＣＥ：Ｃｏｎｔｒｏｌ  Ｃｈａｎｎｅｌ  Ｅｌｅｍｅｎｔ）で構成され、各ＣＣＥは具体的に、リソースユニットグループ（ＲＥＧ：Ｒｅｓｏｕｒｃｅ−Ｅｌｅｍｅｎｔ  Ｇｒｏｕｐ）で構成でき、各ＲＥＧは複数のリソースユニット（ＲＥ：Ｒｅｓｏｕｒｃｅ  Ｅｌｅｍｅｎｔ）を含む。具体的に、ＮＲでＲＥＧは、周波数領域的には１つの物理リソースブロック（ＰＲＢ：ｐｈｙｓｉｃａｌ  ｒｅｓｏｕｒｃｅ  ｂｌｏｃｋ）の大きさであり、時間的には１つのＯＦＤＭシンボルの大きさであり、複数のＲＥＧグループにより１つのＲＥＧバンドル（ｂｕｎｄｌｅ）を構成でき、ＲＥＧ  ｂｕｎｄｌｅは２つ、３つまたは６つのＲＥＧを含むことができ、１つのＣＣＥは通常６つのＲＥＧを含む。
【００３８】
現在、ＮＲシステムでは、端末機器のブラインド検出機能をシングルキャリアまたはマルチキャリアに従って端末機器のブラインド検出回数について異なる次元から定義し、または、端末機器が支持するタイムスロット粒度に基づくＰＤＣＣＨの検出またはマイクロタイムスロット粒度に基づくＰＤＣＣＨの検出に従ってブラインド検出回数を定義する。ここで、マイクロタイムスロットに基づくＰＤＣＣＨの検出は、ＰＤＣＣＨの時間領域の位置がタイムスロット内の最初の２つまたは３つのＯＦＤＭのシンボルに限定されるではなく、１つのタイムスロット内の任意の位置であることを意味する。例えば、ＮＲシステムでタイムスロットに基づくＰＤＣＣＨの検出を定義しており、シングルキャリアの場合、ブラインド検出の最大回数は４４回に設定できる。
【００３９】
さらに、ネットワーク機器は、端末機器に複数の検索スペースを構成し、各検索スペース内の異なる集約レベルに対応する候補ＰＤＣＣＨを構成し、各集約レベルに対応する候補ＰＤＣＣＨの数を構成し、各検索スペースに対応するＤＣＩフォーマットを構成し、端末機器は各集約レベルで、ある構成されたＤＣＩフォーマットに従ってある候補ＰＤＣＣＨを検出を行い、１回ＰＤＣＣＨの検索またはブラインド検出と称する。例えば、ネットワーク機器が端末機器に構成した検索スペース内では、集約レベルＡＬ＝２を含み、さらに前記集約レベルでは４つの候補ＰＤＣＣＨがあり、さらに前記検索スペースに二種類のＤＣＩフォーマットを構成し、端末機器が二種類のＤＣＩフォーマットに従って４つの候補ＰＤＣＣＨを検出する場合、最大には８回ブラインド検出する必要がある。
【００４０】
より有効的にＰＤＣＣＨのリソースを使用するため、ネットワーク機器はあるタイムスロットに構成された全ての候補ＰＤＣＣＨの数が端末機器の検出機能を超えることができ、即ち端末機器が支持するブラインド検出の最大回数を超えることである。
【００４１】
例えば、以下の表１を例として、ネットワーク機器が端末機器に３つの検索スペースを構成すると仮定すると、各検索スペースのモニタリング周期が異なり、対応するブラインド検出回数も異なる。検索スペース１のモニタリング周期は４つのタイムスロットであり、各タイムスロットでブラインド検出を６回実行するなど、検索スペース２のモニタリング周期は１つのタイムスロットであり、各タイムスロットで４０回実行するなど、検索スペース３のモニタリング周期は８つのタイムスロットであり、各タイムスロットでブラインド検出を２回実行するなど、あるタイムスロットにおいて、複数の検索スペースの全てのブラインド検出回数が端末の最大のブラインド検出機能を超えることができ、例えば、ブラインド検出の最大回数が４４回であり、タイムスロット０、４、８、１２及び１６に対応するすべてが前記ブラインド検出の最大回数を超えるとしたら、この場合端末機器がブラインド検出回数をどのように割り当てるかまたはネットワーク機器がブラインド検出回数をどのように割り当てるかは解決すべき問題である。
【００４２】
【表１】
2021517757.tif 000008
【００４３】
さらに、ＮＲシステムにおいて、ＰＤＣＣＨをブラインド検出する時にチャネル推定複雑さも導入され、チャネル推定の複雑さは検索スペース内で実行する必要があるチャネル推定のＣＣＥの数に関連し、例えば、端末機器が支持する最大のＣＣＥのチャネル推定数は４８個であり、端末機器の最大のＣＣＥのチャネル推定数を超えると、同様に端末機器のチャネル推定複雑さをどのように低減するかの問題が存在する。
【００４４】
まとめると、本出願の実施例は、前記問題を解決するためにＰＤＣＣＨのブラインド検出のための方法を提供する。
【００４５】
具体的に、ステップＳ１１０において、少なくとも１つの検索スペースにおけるＰＤＣＣＨのブラインド検出の数がブラインド検出の最大回数より大きい場合、端末機器は少なくとも１つの検索スペース内のｎ個の専用検索スペース及び／またはｍ個の共通検索スペースに対応するＰＤＣＣＨのブラインド検出の数を削減し、前記少なくとも１つの検索スペースにおけるＰＤＣＣＨのブラインド検出の数がブラインド検出の最大回数より小さいか等しいことを満たす時、削減を停止する。具体的に、端末機器は先ずプリセットのルールに従って、ｎ個の専用検索スペースにおけるＰＤＣＣＨのブラインド検出の数を削減し、削減した後、前記少なくとも１つのＰＤＣＣＨのブラインド検出の数がブラインド検出の最大回数よりまだ大きい場合、ｍ個の共通検索スペースにおけるＰＤＣＣＨのブラインド検出の数をまた削減する。または、端末機器はプリセットのルールに従って、ｎ個の専用検索スペースにおけるＰＤＣＣＨのブラインド検出の数を削減し、少なくとも１つの検索スペースにおけるＰＤＣＣＨのブラインド検出の数がブラインド検出の最大回数より小さいか等しいことを満たす時、ｍ個の共通検索スペースにおけるＰＤＣＣＨのブラインド検出の数を削減することなく、前記ｎ個の専用検索スペースにおけるＰＤＣＣＨのブラインド検出の数を削減することを停止する。
【００４６】
本出願の実施例における少なくとも１つの検索スペース内の任意の検索スペースについて、様々なＤＣＩフォーマットが構成されている場合、ＰＤＣＣＨのブラインド検出は各ＤＣＩフォーマットに従ってそれぞれに実行され、毎回のＰＤＣＣＨのブラインド検出は１回のＰＤＣＣＨのブラインド検出の数に対応することを理解されたい。
【００４７】
選択的に、ｎ個の専用検索スペースにおけるＰＤＣＣＨのブラインド検出の数を削減する時に使用するプリセットのルールは、ｍ個の共通検索スペースにおけるＰＤＣＣＨのブラインド検出の数を削減することに用いられ、より説明を簡単にするため、以下のプリセットのルールはｎ個の専用検索スペースにおけるＰＤＣＣＨのブラインド検出の数を削減することを例として説明を行い、ｍ個の共通検索スペースも同様に適応できる。
【００４８】
具体的に、端末機器が、プリセットのルールに従ってｎ個の専用検索スペースにおけるＰＤＣＣＨのブラインド検出の数を削減する場合、前記プリセットのルールは、異なる順番に従ってｎ個の専用検索スペースにおけるＰＤＣＣＨのブラインド検出の数を削減でき、例えば、端末機器はｎ個の専用検索スペース内の異なるＰＤＣＣＨ集約レベル（「集約レベル」と略称する）の順番に従ってＰＤＣＣＨのブラインド検出の数を削減し、または、端末機器はｎ個の専用検索スペースのインデックス値の順番の大きさに従ってＰＤＣＣＨのブラインド検出の数を削減することできるが、本出願の実施例はこれに限定されない。
【００４９】
選択的に、１つの実施例として、前記プリセットのルールは、端末機器がｎ個の専用検索スペース内の異なる集約レベルの順番に従ってＰＤＣＣＨのブラインド検出の数を削減することである。具体的に、端末機器はｎ個の専用検索スペース内でより低い集約レベルに対応するＰＤＣＣＨのブラインド検出の数を優先的に削減できる。例えば、端末機器は第１のプリセットの順番に従って、ｎ個の専用検索スペース内の異なる集約レベルに対応するＰＤＣＣＨのブラインド検出の数を順次に削減し、ここで、前記第１のプリセットの順番は、ｎ個の専用検索スペース内で集約レベルが低い方から高い方への順番である。本実施例は同様に集約レベルに従って高い順から低い順の順番に適応できる
本出願の実施例において、任意の１つの専用検索スペースについて、異なる集約レベルのＰＤＣＣＨを含め、各集約レベルはそれぞれのＰＤＣＣＨのブラインド検出の数に対応し、例えば、前記任意の専用検索スペースは集約レベルＡＬ＝１，２，４，８及び１６内の少なくとも１つを含み、ここで、各集約レベルはそれぞれのＰＤＣＣＨのブラインド検出の数に対応し、端末機器は前記ｎ個の専用検索スペース内の集約レベルの低いから高い順の順番に従って、集約レベルに対応するＰＤＣＣＨのブラインド検出の数を順次に削減し、ある集約レベルまで削減後、端末機器の少なくとも１つの検索スペースにおけるＰＤＣＣＨのブラインド検出の数がブラインド検出の最大回数の制限を満たす時に、削減を停止し、即ち残りの高レベルの集約レベルに対応するＰＤＣＣＨのブラインド検出の数は、もはや削減されない。
【００５０】
選択的に、前記ｎ個の専用検索スペース内に複数の検索スペースが同じ集約レベルを含むことがある場合、前記同じ集約レベルの複数の専用検索スペースについて、インデックス値の小さい方から大きい方の順番に従って、または大きい順から小さい順の順番に従って、前記同じ集約レベルである複数の検索スペース内で記同じ集約レベルに対応するＰＤＣＣＨのブラインド検出の数を順次に削減する。
【００５１】
具体的に、集約レベルの低いから高い順に従って、同じ集約レベルはインデックス値を小さい方から大きい方または大きい順から小さい順の順番に従って、端末機器は集約レベルに対応するＰＤＣＣＨのブラインド検出の数を順次に削減し、ｎ個の専用検索スペース内の第１の専用検索スペースの第１のＰＤＣＣＨ集約レベルまで削減した後、端末機器の少なくとも１つの検索スペースにおけるＰＤＣＣＨのブラインド検出の数がブラインド検出の最大回数より小さいか等しい条件を満たす場合、前記少なくとも１つの検索スペースにおけるＰＤＣＣＨのブラインド検出の数の削減を停止し、即ちランキング位置が前記第１の専用検索スペースの第１のＰＤＣＣＨ集約レベルの後ろに配置された他の検索スペース及び他の検索レベルは、再び削減されない、そうでなければ、専用検索スペースにおけるＰＤＣＣＨのブラインド検出の数を削減を実行することを続ける。ここで、前記第１の専用検索スペースは前記ｎ個の専用検索スペース内の任意の１つの専用検索スペースであり、前記第１のＰＤＣＣＨ集約レベルはｎ個の専用検索スペース内に含まれた集約レベル中の任意の１つの集約レベルである。
【００５２】
任意の専用検索スペース内の任意の集約レベルに対応するＰＤＣＣＨのブラインド検出の数について、削減する必要があるＰＤＣＣＨのブラインド検出の数はプリセットのされてもよく、または、ネットワーク機器が構成してもよいことを理解されたい。具体的に、端末機器はネットワーク機器によって送信された第１の指示情報を受信でき、前記第１の指示情報はｎ個の専用検索スペース内で各集約レベルに対応する削減されたＰＤＣＣＨのブラインド検出の数を指示するためである。
【００５３】
ｎ個の専用検索スペース内の異なる集約レベルに対応する削減されたＰＤＣＣＨ検索回数は同じでもよく、異なってもよいことを理解されたい。同じ場合、即ち各集約レベルは同じ数のＰＤＣＣＨのブラインド検出の数をすべて削減し、とある集約レベルのＰＤＣＣＨのブラインド検出の数がレベルを削減されたほうの数より小さいか等しいことが存在する場合、削減後、前記集約レベルのＰＤＣＣＨのブラインド検出の数を０と設定する。異なる場合、例えば、各集約レベルをその元のＰＤＣＣＨのブラインド検出の数の半分を削減するようにすべて設定できるが、本出願の実施例はこれに限定されない。
【００５４】
以下、具体的な実施例に対して例を示しながら説明する。
【００５５】
例えば、前記端末機器は２つの専用検索スペースを含み、前記専用検索スペースは専用検索スペース０及び専用検索スペース１であり、各専用検索スペースは集約レベルＡＬ＝１、２，４，８及び１６を全て含み、各専用検索スペースの各集約レベルはそれぞれのＰＤＣＣＨのブラインド検出の数に対応する。ＰＤＣＣＨのブラインド検出の数を削減するプロセスにおいて、集約レベルがより低いのを先に削減し、即ち集約レベルＡＬ＝１のＰＤＣＣＨのブラインド検出の数を先に削減する。２つの専用検索スペースは集約レベルＡＬ＝１を含むことにより、ここは専用検索スペースのインデックス値の低い方から高い方への順番に従って、専用検索スペース０内で集約レベルＡＬ＝１に対応するＰＤＣＣＨのブラインド検出の数を１番目に削減し、削減した後、ブラインド検出の最大回数の制限をまだ満たしてない場合、専用検索スペース１内で集約レベルＡＬ＝１に対応するＰＤＣＣＨのブラインド検出の数を再び削減し、削減後、ブラインド検出の最大回数の制限をまだ満たしてない場合、前記専用検索スペース０の集約レベルを１レベル上げ、即ち専用検索スペース０内の集約レベルＡＬ＝２に対応するＰＤＣＣＨのブラインド検出の数を削減するなどなど、ある検索スペース内のある集約レベルまで削減され、例えば、専用検索スペース０の集約レベルＡＬ＝８を削減した後、端末機器の少なくとも１つの検索スペースにおけるＰＤＣＣＨのブラインド検出の数が最大のブラインド検出解すより小さいか等しい条件を満たす時、削減を停止し、即ちランキングが専用検索スペース０の集約レベルＡＬ＝８の後の集約レベルはＰＤＣＣＨのブラインド検出の数の削減をもう実行しない、例えば、専用検索スペース１の集約レベルＡＬ＝４のＰＤＣＣＨのブラインド検出の数は変わらない。
【００５６】
選択的に、実施例として、前記プリセットのルールは、端末機器がｎ個の専用検索スペースのインデックス値の大きさの順番に従ってＰＤＣＣＨのブラインド検出の数を削減する。具体的に、端末機器はインデックス値が最大の専用検索スペースからＰＤＣＣＨのブラインド検出の数の削減を始め、または、端末機器はインデックス値が最小の専用検索スペースからＰＤＣＣＨのブラインド検出の数の削減を始める。以下、端末機器がインデックス値が最小の専用検索スペースからＰＤＣＣＨのブラインド検出の数の削減を始めることを例として説明する。具体的に、端末機器はｎ個の専用検索スペースでインデックス値がより小さい検索スペースに対応するＰＤＣＣＨのブラインド検出の数を優先的に削減できる。例えば、端末機器は第２のプリセットの順番に従って、ｎ個の専用検索スペース内の異なる集約レベルに対応するＰＤＣＣＨのブラインド検出の数を順次に削減し、ここで、前記第１のプリセットの順番は、ｎ個の専用検索スペースのインデックス値が小さい方から大きい方である。
【００５７】
選択的に、前記ｎ個の専用検索スペース内の任意の専用検索スペースについて、前記専用検索スペースが複数の集約レベルを含む場合、前記複数の集約レベルを低い方から高い方への順番に従って、前記同じ専用検索スペース内に含まれた集約レベルのＰＤＣＣＨのブラインド検出の数を順次に削減する。
【００５８】
具体的に、ｎ個の専用検索スペースのインデックス値の大きさの順番に従って、同じように専用検索スペースの集約レベルが低い方から高い方への順番に従って、端末機器は専用検索スペースに含まれた少なくとも１つの集約レベルに対応するＰＤＣＣＨのブラインド検出の数を順次に削減し、ｎ個の専用検索スペース内の第２の専用検索スペースの第２のＰＤＣＣＨ集約レベルまで削減した後、端末機器の少なくとも１つの検索スペースにおけるＰＤＣＣＨのブラインド検出の数がブラインド検出の最大回数より小さいか等しい条件を満たす場合、前記少なくとも１つの検索スペースにおけるＰＤＣＣＨのブラインド検出の数の削減を停止し、即ちランキング位置が前記第２の専用検索スペースの第２のＰＤＣＣＨ集約レベルの後ろに配置された他の検索スペース及び他の検索レベルは、再び削減されない、そうでなければ、専用検索スペースにおけるＰＤＣＣＨのブラインド検出の数を削減を実行することを続ける。ここで、前記第２の専用検索スペースは前記ｎ個の専用検索スペース内の任意の１つの専用検索スペースであり、前記第２のＰＤＣＣＨ集約レベルはｎ個の専用検索スペース内に含まれた集約レベル中の任意の１つの集約レベルである。
【００５９】
任意の専用検索スペース内の任意の集約レベルに対応するＰＤＣＣＨのブラインド検出の数について、削減する必要があるＰＤＣＣＨのブラインド検出の数はプリセットのされてもよく、または、ネットワーク機器が構成してもよいことを理解されたい。具体的に、端末機器はネットワーク機器によって送信された第１の指示情報を受信でき、前記第１の指示情報はｎ個の専用検索スペース内で各集約レベルに対応する削減されたＰＤＣＣＨのブラインド検出の数を指示するためである。
【００６０】
ｎ個の専用検索スペース内の異なる集約レベルに対応する削減されたＰＤＣＣＨ検索回数は同じでもよく、異なってもよいことを理解されたい。同じ場合、即ち各集約レベルは同じ数のＰＤＣＣＨのブラインド検出の数をすべて削減し、とある集約レベルのＰＤＣＣＨのブラインド検出の数がレベルを削減されたほうの数より小さいか等しいことが存在する場合、削減後、前記集約レベルのＰＤＣＣＨのブラインド検出の数を０と設定する。異なる場合、例えば、各集約レベルをその元のＰＤＣＣＨのブラインド検出の数の半分を削減するようにすべて設定できるが、本出願の実施例はこれに限定されない。
【００６１】
以下、具体的な実施例に対して例を示しながら説明する。
【００６２】
例えば、前記端末機器は２つの専用検索スペースを含み、前記専用検索スペースは専用検索スペース０及び専用検索スペース１であり、各専用検索スペースは集約レベルＡＬ＝１、２，４，８及び１６を全て含み、各専用検索スペースの各集約レベルはそれぞれのＰＤＣＣＨのブラインド検出の数に対応する。ＰＤＣＣＨのブラインド検出の数を削減するプロセスにおいて、インデックス値がより小さい専用検索スペースを先に削減し、即ち専用検索スペース０のＰＤＣＣＨのブラインド検出の数を先に削減する。前記専用検索スペース０は５つの集約レベルを含むため、ここは集約レベルの低い方から高い方への順番に従って、専用検索スペース０内で集約レベルＡＬ＝１に対応するＰＤＣＣＨのブラインド検出の数を１番目に削減し、削減した後、ブラインド検出の最大回数の制限をまだ満たしてない場合、専用検索スペース０内で集約レベルＡＬ＝２に対応するＰＤＣＣＨのブラインド検出の数をさらに削減し、削減後、ブラインド検出の最大回数の制限をまだ満たしてない場合、セットは、前記専用検索スペース０の集約レベルを１レベル上げ、即ち専用検索スペース０内の集約レベルＡＬ＝４に対応するＰＤＣＣＨのブラインド検出の数を削減するなどなど、ある検索スペース内のある集約レベルまで削減され、例えば、専用検索スペース１の集約レベルＡＬ＝２を削減した後、端末機器の少なくとも１つの検索スペースにおけるＰＤＣＣＨのブラインド検出の数が最大のブラインド検出解すより小さいか等しい条件を満たす時、削減を停止し、即ちランキングが専用検索スペース１の集約レベルＡＬ＝２の後の集約レベルはＰＤＣＣＨのブラインド検出の数の削減をもう実行しない、例えば、専用検索スペース１の集約レベルＡＬ＝４のＰＤＣＣＨのブラインド検出の数は変わらない。
【００６３】
本出願の実施例において、端末機器のｎ個の専用検索スペースでは特別な検索スペースブロックが存在する場合があり、前記検索スペースブロックは入れ子構造のＰＤＣＣＨの構造を含み、この場合、端末機器はプリセットのルールに従って、ｎ個の専用検索スペースにおけるＰＤＣＣＨのブラインド検出の数を削減する時、前記プリセットのルールは、前記特別な検索スペースブロックに対応するＰＤＣＣＨのブラインド検出の数を削減できる。
【００６４】
具体的に、前記プリセットのルールは、端末機器のｎ個の専用検索スペース内の第３のＰＤＣＣＨ集約レベルに対応するＰＤＣＣＨが占用する時間周波数リソースが、第４のＰＤＣＣＨ集約レベルに対応するＰＤＣＣＨが占用する時間周波数リソースと重複する場合、即ち前記第４のＰＤＣＣＨ集約レベルに対応するＰＤＣＣＨが占用する時間周波数リソースは１つの特別な検索スペースブロックである。前記端末機器は第３のＰＤＣＣＨ集約レベル及び／または前記第４のＰＤＣＣＨ集約レベルに対応するＰＤＣＣＨのブラインド検出の数を０に削減し、ここで、前記第３のＰＤＣＣＨ集約レベルは任意専用検索スペース内の任意集約レベルであり、第４のＰＤＣＣＨ集約レベルは任意専用検索スペース内の任意集約レベルであり、さらに前記第３のＰＤＣＣＨ集約レベルは前記第４のＰＤＣＣＨ集約レベルより低い。
【００６５】
例えば、図２は、特別な検索スペースブロックの例示図を示し、図２に示されたように、前記検索スペースブロックは入れ子のＰＤＣＣＨ構造を含み、図では高レベルの集約レベルのＣＣＥは低レベルの集約レベルのＣＣＥを含む。具体的に、図２における集約レベルＡＬ＝１の８つの候補ＰＤＣＣＨに占用された８つのＣＣＥ、集約レベルＡＬ＝２の４つの候補ＰＤＣＣＨに占用された８つのＣＣＥ及び集約レベルＡＬ＝８の１つの候補ＰＤＣＣＨに占用された８つのＣＣＥが占用する時間周波数リソースは完全に一致するが、より明確的な例示のため、図２の横は周波数が同じことを表示するが、縦はそれぞれ４つの集約レベルを示す。ここで、集約レベルＡＬ＝２に対する４つの候補ＰＤＣＣＨでは、各候補ＰＤＣＣＨが占用する２つのＣＣＥはそれぞれの２つのＡＬ＝１のＣＣＥに対応し、即ち前記集約レベルＡＬ＝２は前記第４のＰＤＣＣＨ集約レベルであり、集約レベルＡＬ＝１は前記第３のＰＤＣＣＨ集約レベルであり、プリセットのルールは、集約レベルＡＬ＝２及び／またはＡＬ＝１に対応するＰＤＣＣＨのブラインド検出の数の全てを０に削減できる。同じように、例えばＡＬ＝４の２つの候補ＰＤＣＣＨで、各プリセットのルールが占用する４つのＣＣＥは２つの集約レベルＡＬ＝２の合計４つのＣＣＥに対応し、プリセットのルールは、集約レベルＡＬ＝４及び／またはＡＬ＝２に対応するＰＤＣＣＨのブラインド検出の数の全てを０に削減できる。さらに例えば１つの集約レベルＡＬ＝８の１つの候補ＰＤＣＣＨが占用する８つのＣＣＥは２つのＡＬ＝４の合計８つのＣＣＥに対応し、前記セットルールは、集約レベルＡＬ＝８及び／またはＡＬ＝４に対応するＰＤＣＣＨのブラインド検出の数の全てを０に削減できる。
【００６６】
このように、端末機器のｎ個の専用検索スペースは前記の複数の特別な検索スペースブロックに似たものを含む場合、前記プリセットのルールは、端末機器は中の部分的の特別な検索スペースブロック及び対応するＰＤＣＣＨのブラインド検出の数を削減することによって、ＰＤＣＣＨの検索総回数低減する目的を達成する。
【００６７】
選択的に、中の１つの特別な検索スペースブロックを削減することについて、前記検索スペースブロックに対応する全てのＰＤＣＣＨのブラインド検出の数を削減でき、例えば図２での検索スペースブロックに対応するＰＤＣＣＨのブラインド検出の数をすべて削除し、または前記検索スペースブロックより下の一部の集約レベルに対応するＰＤＣＣＨのブラインド検出の数も削減でき、また端末のブラインド検出回数を低減する目的を達成でき、例えば、図２での検索スペースブロックは集約レベルＡＬ＝１、ＡＬ＝２及びＡＬ＝４に対応するＰＤＣＣＨのブラインド検出の数を削減でき、集約レベルＡＬ＝８に対応するＰＤＣＣＨのブラインド検出の数を保つ。または、図２での検索スペースブロックは第２のＡＬ＝４，及びそれと同じＣＣＥを持つＡＬ＝１及びＡＬ＝２の検索回数を０に削減でき、ＡＬ＝８の検索回数、及び第１のＡＬ＝４及びそれと同じＣＣＥを持つＡＬ＝１及びＡＬ＝２の検索回数を保つ。
【００６８】
前記方法１００は、前記端末機器がネットワーク機器によって送信された第２の指示情報を受信することであって、前記第２の指示情報は、前記第３のＰＤＣＣＨ集約レベル及び／または前記第４のＰＤＣＣＨ集約レベルに対応するＰＤＣＣＨ検索回数を０に削減することをさらに含むことを理解されたい。具体的に、端末機器はネットワーク機器の構成に従って、１つまたは複数の前記特別な検索スペースブロックに対応する全てまたは一部のＰＤＣＣＨのブラインド検出の数を削減することを決定する。
【００６９】
本出願の実施例における各専用検索スペース内の各集約レベルに対応する元のＰＤＣＣＨのブラインド検出の数はネットワーク機器が構成してもよく、または事前に構成されたものであってもよいことを理解されたい。本出願の実施例はこれに限定されない。
【００７０】
本出願の実施例における端末機器が使用するプリセットのルールは先に構成でき、またはネットワーク機器によって構成されることを理解されたい。具体的に、端末機器が前記プリセットのルールに従てｎ個の検索スペースまたはｍ個の共通検索スペースにおけるＰＤＣＣＨのブラインド検出の数を削減するため、端末機器はネットワーク機器によって送信されたプリセットのルールを受信できるだが、本出願の実施例はこれに限定されない。
【００７１】
ＰＤＣＣＨをブラインド検出する時のチャネル推定複雑さを考えて、複数の検索スペース内のチャネル推定を実行する必要がある総ＣＣＥの数と関連することを理解されたい。例えば、端末機器が支持する最大のＣＣＥのチャネル推定数は４８個であり、端末機器の最大のＣＣＥのチャネル推定数を超える時、同様に前記方法を採用して少なくとも１つの検索スペース内のチャネル推定を実行する必要がある総ＣＣＥの数を削減し、即ち端末機器は少なくとも１つの検索スペース内のｎ個の専用検索スペース及び／またはｍ個の専用検索スペースに対応するＰＤＣＣＨのブラインド検出の数を削減し、対応する同様にチャネル推定を実行する必要があるＣＣＥも数削減し、ＰＤＣＣＨのブラインド検出の数がブラインド検出の最大回数より小さいか等しいことを満たすまで削減するプロセスでは、対応する少なくとも１つの検索スペースに対応するチャネル推定を実行する必要があるＣＣＥの総数が最大回数よりまだ大きい場合、前記少なくとも１つの検索スペース内のｎ個の専用検索スペース及び／またはｍ個の専用検索スペースに対応するＰＤＣＣＨのブラインド検出の数を引き続き削減でき、対応する少なくとも１つの検索スペース内のチャネル推定を実行する必要があるＣＣＥの総数が最大回数より小さいか等しい時に停止し、これで端末機器のチャネル推定の複雑さを低減する問題を有効的に解決できる。したがって、本出願の実施例における端末機器のブラインド検出数を削減する方法は端末機器がＰＤＣＣＨをブラインド検出する時チャネル推定を実行する複雑さを低減する問題を解決するために同様に使用される。
【００７２】
説明するべきなのは、検索スペースが入れ子構造になっている場合、ブラインド検出回数を低減するために、集約レベルが低い検索回数を低減してブラインド検出の総数を低減することができるだが、チャネル推定の複雑さを削減する必要がある場合、まだ集約レベルが低い検索回数を低減してチャネル推定の複雑さを低減できない。集約レベルが高い候補ＰＤＣＣＨが全てのチャネル推定を実行するＣＣＥをまだ含むため、この場合、前記検索スペースブロックの全ての集約レベルの検索回数を０に削減できることにより、前記チャネル推定の複雑さの目的を達成する。または集約レベルが高いＰＤＣＣＨのブラインド検出の数を優先的に０に削減でき、さらに一部の低集約レベルのＰＤＣＣＨのブラインド検出の数を低減し、検索スペースの複雑さも低減できる。
【００７３】
例えば、図２に示されたように、チャネル推定の複雑さを低減するために、即ちチャネル推定を実行する必要があるＣＣＥの数を削減して、前記検索スペースブロックの全ての集約レベルのＰＤＣＣＨのブラインド検出の数を０に削減でき、この場合前記検索スペースブロックの全てのＣＣＥに対してチャネル推定を実行する必要がないことにより、チャネル推定の複雑さを低減する。または、ＡＬ＝８のＰＤＣＣＨのブラインド検出の数を０に削減し、さらに第２のＡＬ＝４のＰＤＣＣＨのブラインド検出の数を０に削減し、及びそれと同じＣＣＥを持つ全てのＡＬ＝２及びＡＬ＝１の検索回数を０に削減し、この場合第１のＡＬ＝４及びそれと同じＣＣＥを持つＡＬ＝２及びＡＬ＝１のＰＤＣＣＨのみをブラインド検出する必要があり、したがって４つのＣＣＥのチャネル推定のみを実行する必要があり、チャネル推定の複雑さを低減できる。
【００７４】
したがって、本出願の実施例におけるＰＤＣＣＨのブラインド検出のための方法において、端末機器は少なくとも１つの検索スペースにおけるＰＤＣＣＨのブラインド検出の数がブラインド検出の最大回数より大きい場合、特定のプリセットのルールに従って、少なくとも１つの検索スペースにおけるＰＤＣＣＨのブラインド検出の数を前記ＰＤＣＣＨのブラインド検出の数がブラインド検出の最大回数より小さいか等しいまで削減することにより、端末機器はブラインド検出回数をより合理的に割り当てることができ、同様に端末機器のチャネル推定の複雑さを低減する問題を解決できる。
【００７５】
本出願の様々な実施例において、前記各プロセスの番号の大きさは実行する前後順番を意味せず、各プロセスの実行順番は、その機能と内部論理によって決定されるべきであり、本出願の実施例の実施プロセスに対してあらゆる制限を構成してはならないことを理解されたい。
【００７６】
さらに、本明細書における「及び／または」という用語は、関連付けられたオブジェクトを説明する単なる関連付けであり、３種類の関係が存在することができることを示し、例えば、Ａ及び／またはＢは、Ａが独立で存在する場合、ＡとＢが同時に存在する場合、Ｂが独立で存在する場合など３つの場合を表す。さらに、本明細書における文字「／」は、一般的に、コンテキストオブジェクトが「または」の関係であることを示す。
【００７７】
本明細書における図１及び図２を参照して、本出願の実施例に係るＰＤＣＣＨのブラインド検出のための方法を詳細に説明し、以下、図３及び図４を参照して、本出願の実施例に係る端末機器を説明する。
【００７８】
図３に示されたように、本出願の実施例に係る端末機器２００は、処理ユニット２１０及び検出ユニット２２０を含み、選択的に、受信ユニット２３０をさらに含む。具体的に、前記処理ユニット２１０は、端末機器の少なくとも１つの検索スペースにおけるＰＤＣＣＨのブラインド検出の数がブラインド検出の最大回数より大きい場合、前記少なくとも１つの検索スペースに含まれた、ｎ個の専用検索スペースにおけるＰＤＣＣＨのブラインド検出の数を削減し、及び／または前記少なくとも１つの検索スペースに含まれた、ｍ個の共通検索スペースにおけるＰＤＣＣＨのブラインド検出の数を削減し、削減後の前記少なくとも１つの検索スペースにおけるＰＤＣＣＨのブラインド検出の数が前記ブラインド検出の最大回数より小さいか等しいように構成され、ここで、ｎ及びｍは０より大きいか等しい整数であり、ｎ及びｍは同時に０ではない。前記検出ユニット２００は、削減後の前記少なくとも１つの検索スペースにおけるＰＤＣＣＨのブラインド検出の数に従って、前記少なくとも１つの検索スペース内のＰＤＣＣＨのブラインド検出を実行するように構成される。
【００７９】
したがって、本出願の実施例の端末機器において、少なくとも１つの検索スペースにおけるＰＤＣＣＨのブラインド検出の数がブラインド検出の最大回数より大きい場合、特定のプリセットのルールに従って、少なくとも１つの検索スペースにおけるＰＤＣＣＨのブラインド検出の数を前記ＰＤＣＣＨのブラインド検出の数がブラインド検出の最大回数より小さいか等しいまで削減することにより、端末機器はブラインド検出回数をより合理的に割り当てることができ、同様に端末機器のチャネル推定の複雑さを低減する問題を解決できる。
【００８０】
選択的に、ｎ及びｍは０より大きい正数であり、前記処理ユニット２１０は具体的に、プリセットのルールに従って、前記ｎ個の専用検索スペースにおけるＰＤＣＣＨのブラインド検出の数を削減した後、削減された前記少なくとも１つの検索スペースにおけるＰＤＣＣＨのブラインド検出の数が前記ブラインド検出の最大回数より大きい場合、前記ｍ個の共通検索スペースにおけるＰＤＣＣＨのブラインド検出の数を削減し、または、削減された前記少なくとも１つの検索スペースにおけるＰＤＣＣＨのブラインド検出の数が前記ブラインド検出の最大回数より小さいか等しい場合、前記ｍ個の共通検索スペースにおけるＰＤＣＣＨのブラインド検出の数を削減することを実行しないように構成される。
【００８１】
選択的に、前記プリセットのルールは、前記処理ユニット２１０が、前記ｎ個の専用検索スペースにおける低レベルのＰＤＣＣＨ集約レベルに対応するＰＤＣＣＨのブラインド検出の数を優先的に削減することを含む。
【００８２】
選択的に、前記プリセットのルールは、前記処理ユニット２１０が、第１のプリセットの順番に従って、前記ｎ個の専用検索スペース内の異なるＰＤＣＣＨ集約レベルに対応するＰＤＣＣＨのブラインド検出の数を順次に削減することを含み、前記第１のプリセットの順番は、前記ｎ個の専用検索スペース内のＰＤＣＣＨ集約レベルが低い方から高い方への順番である。
【００８３】
選択的に、前記プリセットのルールは、前記ｎ個の専用検索スペース内で第１の専用検索スペースの第１のＰＤＣＣＨ集約レベルを削減した後、前記少なくとも１つの検索スペースにおけるＰＤＣＣＨのブラインド検出の数が前記ブラインド検出の最大回数より小さいか等しい条件を満たす場合、前記処理ユニット２１０は前記少なくとも１つの検索スペースにおけるＰＤＣＣＨのブラインド検出の数の削減に対する実行を停止することをさらに含み、ここで、前記第１の専用検索スペースは前記ｎ個の専用検索スペースのいずれか１つの専用検索スペースであり、前記第１のＰＤＣＣＨ集約レベルは前記ｎ個の専用検索スペースのいずれか１つのＰＤＣＣＨ集約レベルである。
【００８４】
選択的に、前記第１のプリセットの順番は、同じＰＤＣＣＨ集約レベルを含む複数の専用検索スペースがある場合、前記複数の専用検索スペースはインデックス値の小さい方から大きい方への順番であることをさらに含む。
【００８５】
選択的に、前記第１のプリセットのルールは、前記処理ユニット２１０が、前記ｎ個の専用検索スペース内の、インデックス値が小さい専用検索スペースにおけるＰＤＣＣＨのブラインド検出の数を優先的に削減することを含む。
【００８６】
選択的に、前記プリセットのルールは、いずれか１つの専用検索スペースにおいて、前記端末機器が低レベルのＰＤＣＣＨ集約レベルに対応するＰＤＣＣＨのブラインド検出の数を優先的に削減することをさらに含む。
【００８７】
選択的に、前記プリセットのルールは、具体的に、前記処理ユニット２１０が、第２のプリセットの順番に従って、前記ｎ個の専用検索スペース内の異なる検索スペースに対応するＰＤＣＣＨのブラインド検出の数を含み、前記第２のプリセットの順番は、前記ｎ個の専用検索スペースのインデックス値の低い方から高い方への順番である。
【００８８】
選択的に、前記プリセットのルールは、前記ｎ個の専用検索スペースで第２の専用検索スペースの第２のＰＤＣＣＨ集約レベルを削減した後、前記少なくとも１つの検索スペースにおけるＰＤＣＣＨのブラインド検出の数が前記ブラインド検出の最大回数より小さいか等しい条件を満たす場合、前記処理ユニット２１０が前記少なくとも１つの検索スペースにおけるＰＤＣＣＨのブラインド検出の数の削減に対する実行を停止することをさらに含み、ここで、前記第２の専用検索スペースは前記ｎ個の専用検索スペースのいずれか１つの専用検索スペースであり、前記第２のＰＤＣＣＨ集約レベルは前記ｎ個の専用検索スペースのいずれか１つのＰＤＣＣＨ集約レベルである。
【００８９】
選択的に、前記第２のプリセットの順番は、同じ専用検索スペース内でＰＤＣＣＨ集約レベルが低い方から高い方への順番であることをさらに含む。
【００９０】
選択的に、前記ｎ個の専用検索スペース内の異なるＰＤＣＣＨ集約レベルが削減されるＰＤＣＣＨのブラインド検出の数は異なる。
【００９１】
選択的に、前記ｎ個の専用検索スペース内で各ＰＤＣＣＨ集約レベルが削減するＰＤＣＣＨのブラインド検出の数は事前に構成される。
【００９２】
選択的に、前記受信ユニット２３０は、ネットワークによって送信され第１の指示情報を受信するように構成され、前記第１の指示情報は前記ｎ個の専用検索スペース内で各ＰＤＣＣＨ集約レベルに対応する、削減されたＰＤＣＣＨのブラインド検出の数を指示する。
【００９３】
選択的に、前記プリセットのルールは、前記ｎ個の専用検索スペース内の第３のＰＤＣＣＨ集約レベルに対応するＰＤＣＣＨが占用する時間周波数リソースが、第４のＰＤＣＣＨ集約レベルに対応するＰＤＣＣＨが占用する時間周波数リソースと重複する場合、前記処理ユニット２１０は第３のＰＤＣＣＨ集約レベル及び／または前記第４のＰＤＣＣＨ集約レベルに対応するＰＤＣＣＨのブラインド検出の数を０に削減することを含み、ここで、前記第３のＰＤＣＣＨ集約レベルは前記第４のＰＤＣＣＨ集約レベルより低い。
【００９４】
選択的に、前記受信ユニット２３０は、ネットワーク機器によって送信された第２の指示情報を受信するように構成され、前記第２の指示情報は、前記第３のＰＤＣＣＨ集約レベル及び／または前記第４のＰＤＣＣＨ集約レベルに対応するＰＤＣＣＨ検索回数を０に削減する。
【００９５】
本出願の実施例に係る端末機器２００は本出願の実施例における方法１００を実行することに対応でき、さらに端末機器２００における各ユニットの上述した及び他の操作及び／または機能は、それぞれ図１及び図２における各方法の端末機器の対応するプロセスを具現するためであることを理解されたい。簡潔のために、ここで再び説明しない。
【００９６】
したがって、本出願の実施例の端末機器において、少なくとも１つの検索スペースにおけるＰＤＣＣＨのブラインド検出の数がブラインド検出の最大回数より大きい場合、特定のプリセットのルールに従って、少なくとも１つの検索スペースにおけるＰＤＣＣＨのブラインド検出の数を前記ＰＤＣＣＨのブラインド検出の数がブラインド検出の最大回数より小さいか等しいまで削減することにより、端末機器はブラインド検出回数をより合理的に割り当てることができ、同様に端末機器のチャネル推定の複雑さを低減する問題を解決できる。
【００９７】
図４は、本出願の実施例に係る端末機器３００のブロック図を示し。図４に示されたように、前記端末機器３００は、プロセッサ３１０及びトランシーバ３２０を含み、プロセッサ３１０とトランシーバ３２０は接続され、選択的に、端末機器３００はメモリ３３０をさらに含み、メモリ３３０とプロセッサ３１０は接続される。ここで、プロセッサ３１０、メモリ３３０及びトランシーバ３２０の間は内部接続回路によってお互い通信、伝送及び／またはデータ信号を制御し、前記メモリ３３０は命令を記憶するように構成でき、前記プロセッサ３１０はトランシーバ３２０によってメッセージまたはデータを送信することを制御するために、前記メモリ３３０に記憶された命令を実行するように構成され、前記プロセッサ３１０は、端末機器の少なくとも１つの検索スペースにおけるＰＤＣＣＨのブラインド検出の数がブラインド検出の最大回数より大きい場合、前記少なくとも１つの検索スペースに含まれた、ｎ個の専用検索スペースにおけるＰＤＣＣＨのブラインド検出の数を削減し、及び／または前記少なくとも１つの検索スペースに含まれた、ｍ個の共通検索スペースにおけるＰＤＣＣＨのブラインド検出の数を削減し、削減された前記少なくとも１つの検索スペースにおけるＰＤＣＣＨのブラインド検出の数が前記ブラインド検出の最大回数より小さいか等しいように構成され、ここで、ｎ及びｍは０より大きいか等しい整数であり、ｎ及びｍは同時に０ではない。前記検出ユニット２００は、削減後の前記少なくとも１つの検索スペースにおけるＰＤＣＣＨのブラインド検出の数に従って、前記少なくとも１つの検索スペース内のＰＤＣＣＨのブラインド検出を実行する。
【００９８】
したがって、本出願の実施例の端末機器において、少なくとも１つの検索スペースにおけるＰＤＣＣＨのブラインド検出の数がブラインド検出の最大回数より大きい場合、特定のプリセットのルールに従って、少なくとも１つの検索スペースにおけるＰＤＣＣＨのブラインド検出の数を前記ＰＤＣＣＨのブラインド検出の数がブラインド検出の最大回数より小さいか等しいまで削減することにより、端末機器はブラインド検出回数をより合理的に割り当てることができ、同様に端末機器のチャネル推定の複雑さを低減する問題を解決できる。
【００９９】
選択的に、一実施例として、ｎ及びｍは０より大きい正数であり、前記プロセッサ３１０は具体的に、プリセットのルールに従って、前記ｎ個の専用検索スペースにおけるＰＤＣＣＨのブラインド検出の数を削減した後、削減された前記少なくとも１つの検索スペースにおけるＰＤＣＣＨのブラインド検出の数が前記ブラインド検出の最大回数より大きい場合、前記ｍ個の共通検索スペースにおけるＰＤＣＣＨのブラインド検出の数を削減し、または、削減された前記少なくとも１つの検索スペースにおけるＰＤＣＣＨのブラインド検出の数が前記ブラインド検出の最大回数より小さいか等しい場合、前記ｍ個の共通検索スペースにおけるＰＤＣＣＨのブラインド検出の数を削減することを実行しないように構成される。
【０１００】
選択的に、一実施例として、前記プリセットのルールは、前記プロセッサ３１０が、前記ｎ個の専用検索スペースにおける低レベルのＰＤＣＣＨ集約レベルに対応するＰＤＣＣＨのブラインド検出の数を優先的に削減することを含む。
【０１０１】
選択的に、一実施例として、前記プリセットのルールは、前記プロセッサ３１０が、第１のプリセットの順番に従って、前記ｎ個の専用検索スペース内の異なるＰＤＣＣＨ集約レベルに対応するＰＤＣＣＨのブラインド検出の数を順次に削減することを含み、前記第１のプリセットの順番は、前記ｎ個の専用検索スペース内のＰＤＣＣＨ集約レベルが低い方から高い方への順番である。
【０１０２】
選択的に、一実施例として、前記プリセットのルールは、前記ｎ個の専用検索スペース内で第１の専用検索スペースの第１のＰＤＣＣＨ集約レベルを削減した後、前記少なくとも１つの検索スペースにおけるＰＤＣＣＨのブラインド検出の数が前記ブラインド検出の最大回数より小さいか等しい条件を満たす場合、前記プロセッサ３１０は前記少なくとも１つの検索スペースにおけるＰＤＣＣＨのブラインド検出の数の削減に対する実行を停止することをさらに含み、ここで、前記第１の専用検索スペースは前記ｎ個の専用検索スペースのいずれか１つの専用検索スペースであり、前記第１のＰＤＣＣＨ集約レベルは前記ｎ個の専用検索スペースのいずれか１つのＰＤＣＣＨ集約レベルである。
【０１０３】
選択的に、一実施例として、前記第１のプリセットの順番は、同じＰＤＣＣＨ集約レベルを含む複数の専用検索スペースがある場合、前記複数の専用検索スペースはインデックス値の小さい方から大きい方への順番であることをさらに含む。
【０１０４】
選択的に、一実施例として、前記第１のプリセットのルールは、前記プロセッサ３１０が、前記ｎ個の専用検索スペース内の、インデックス値が小さい専用検索スペースにおけるＰＤＣＣＨのブラインド検出の数を優先的に削減することを含む。
【０１０５】
選択的に、一実施例として、前記プリセットのルールは、いずれか１つの専用検索スペースにおいて、前記端末機器が低レベルのＰＤＣＣＨ集約レベルに対応するＰＤＣＣＨのブラインド検出の数を優先的に削減することをさらに含む。
【０１０６】
選択的に、一実施例として、前記プリセットのルールは、具体的に、前記プロセッサ３１０が、第２のプリセットの順番に従って、前記ｎ個の専用検索スペース内の異なる検索スペースに対応するＰＤＣＣＨのブラインド検出の数を含み、前記第２のプリセットの順番は、前記ｎ個の専用検索スペースのインデックス値の低い方から高い方への順番である。
【０１０７】
選択的に、一実施例として、前記プリセットのルールは、前記ｎ個の専用検索スペースで第２の専用検索スペースの第２のＰＤＣＣＨ集約レベルを削減した後、前記少なくとも１つの検索スペースにおけるＰＤＣＣＨのブラインド検出の数が前記ブラインド検出の最大回数より小さいか等しい条件を満たす場合、前記プロセッサ３１０が前記少なくとも１つの検索スペースにおけるＰＤＣＣＨのブラインド検出の数の削減に対する実行を停止することをさらに含み、ここで、前記第２の専用検索スペースは前記ｎ個の専用検索スペースのいずれか１つの専用検索スペースであり、前記第２のＰＤＣＣＨ集約レベルは前記ｎ個の専用検索スペースのいずれか１つのＰＤＣＣＨ集約レベルである。
【０１０８】
選択的に、一実施例として、前記第２のプリセットの順番は、同じ専用検索スペース内でＰＤＣＣＨ集約レベルが低い方から高い方への順番であることをさらに含む。
【０１０９】
選択的に、一実施例として、前記ｎ個の専用検索スペース内の異なるＰＤＣＣＨ集約レベルが削減されるＰＤＣＣＨのブラインド検出の数は異なる。
【０１１０】
選択的に、一実施例として、前記ｎ個の専用検索スペース内で各ＰＤＣＣＨ集約レベルが削減するＰＤＣＣＨのブラインド検出の数は事前に構成される。
【０１１１】
選択的に、一実施例として、前記トランシーバ３２０は、ネットワークによって送信され第１の指示情報を受信するように構成され、前記第１の指示情報は前記ｎ個の専用検索スペース内で各ＰＤＣＣＨ集約レベルに対応する、削減されたＰＤＣＣＨのブラインド検出の数を指示する。
【０１１２】
選択的に、一実施例として、前記プリセットのルールは、前記ｎ個の専用検索スペース内の第３のＰＤＣＣＨ集約レベルに対応するＰＤＣＣＨが占用する時間周波数リソースが、第４のＰＤＣＣＨ集約レベルに対応するＰＤＣＣＨが占用する時間周波数リソースと重複する場合、前記プロセッサ３１０は第３のＰＤＣＣＨ集約レベル及び／または前記第４のＰＤＣＣＨ集約レベルに対応するＰＤＣＣＨのブラインド検出の数を０に削減することを含み、ここで、前記第３のＰＤＣＣＨ集約レベルは前記第４のＰＤＣＣＨ集約レベルより低い。
【０１１３】
選択的に、一実施例として、前記受信ユニット２３０は、ネットワーク機器によって送信された第２の指示情報を受信するように構成され、前記第２の指示情報は、前記第３のＰＤＣＣＨ集約レベル及び／または前記第４のＰＤＣＣＨ集約レベルに対応するＰＤＣＣＨ検索回数を０に削減する。
【０１１４】
本出願の実施例に係る端末機器３００は本出願の実施例における端末機器２００に対応でき、さらに本出願の実施例に係る方法１００における対応する主体を実行することに対応でき、さらに端末機器３００における各ユニットの上述した及び他の操作及び／または機能は、それぞれ図１及び図２における各方法の端末機器の対応するプロセスを具現するためであることを理解されたい。簡潔のために、ここで再び説明しない。
【０１１５】
したがって、本出願の実施例の端末機器において、少なくとも１つの検索スペースにおけるＰＤＣＣＨのブラインド検出の数がブラインド検出の最大回数より大きい場合、特定のプリセットのルールに従って、少なくとも１つの検索スペースにおけるＰＤＣＣＨのブラインド検出の数を前記ＰＤＣＣＨのブラインド検出の数がブラインド検出の最大回数より小さいか等しいまで削減することにより、端末機器はブラインド検出回数をより合理的に割り当てることができ、同様に端末機器のチャネル推定の複雑さを低減する問題を解決できる。
【０１１６】
本出願の前記方法の実施例は、プロセッサに適用されてもよく、またはプロセッサによって実現されてもよいことに留意されたい。プロセッサは、信号処理機能を備える集積回路チップであることができる。実現プロセスにおいて、前記方法の実施例の各ステップは、プロセッサにおけるハードウェアの集積論理回路またはソフトウェアの形によって実現することができる。前述したプロセッサは、汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブルロジックデバイス、ディスクリートゲートまたはトランジスタロジックデバイス、ディスクリートハードウェアデバイスなどであってもよい。前述したプロセッサは、本出願の実施例における開示される各方法、ステップ及び論理ブロック図を実現または実行することができる。汎用プロセッサは、マイクロプロセッサであってもよく、または前記プロセッサは任意の従来のプロセッサなどであってもよい。本出願の実施例に開示された方法のステップに合わせて、ハードウェア復号化プロセッサに直接に具現されることができ、または復号化プロセッサにおけるハードウェア及びソフトウェアモジュールの組み合わせによって実行されてもよい。ソフトウェアモジュールは、ランダムアクセスメモリ、フラッシュメモリ、読み取り専用メモリ、プログラマブル読み取り専用メモリまたは電気的に消去可能なプログラマブルメモリ、レジスタなど本分野の従来の記憶媒体に配置されることができる。前記記憶媒体はメモリに配置され、プロセッサがメモリ内の情報を読み取って、そのハードウェアと組み合わせて前記方法のステップを完成する。
【０１１７】
本出願の実施例におけるメモリは、揮発性メモリまたは非揮発性メモリであってもよく、または揮発性及び非揮発性メモリ両者の両方を含んでもよいことを理解されたい。ここで、非揮発性メモリは、読み取り専用メモリ（ＲＯＭ：ｒｅａｄ−ｏｎｌｙ  ｍｅｍｏｒｙ）、プログラム可能な読み取り専用メモリ（ＰＲＯＭ：ｐｒｏｇｒａｍｍａｂｌｅ  ｒｏｍ）、消去可能なプログラム可能な読み取り専用メモリ（ＥＰＲＯＭ：ｅｒａｓａｂｌｅ  ＰＲＯＭ）、電気的消去可能なプログラム可能な読み取り専用メモリ（ＥＥＰＲＯＭ：ｅｌｅｃｔｒｉｃａｌｌｙ  ＥＰＲＯＭ）またはフラッシュメモリであってもよい。揮発性メモリは、外部キャッシュ（Ｅｘｔｅｒｎａｌ  ｃａｃｈｅ）として、ランダムアクセスメモリ（ＲＡＭ：ｒａｎｄｏｍ  ａｃｃｅｓｓ  ｍｅｍｏｒｙ）であってもよい。例示的であるが限定的な説明ではないが、例えば、スタティックランダムアクセスメモリ（ＳＲＡＭ：ｓｔａｔｉｃ  ＲＡＭ）、ダイナミックランダムアクセスメモリ（ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、強化された同期ダイナミックランダムアクセスメモリ（ＥＳＤＲＡＭ：ｅｎｈａｎｃｅｄ  ＳＤＲＡＭ）、ダイナミックランダムアクセスメモリの同期接続（ＳＬＤＲＡＭ：ｓｙｎｃｈｌｉｎｋ  ＤＲＡＭ）及びダイレクトメモリバスランダムアクセスメモリ（ＤＲ  ＲＡＭ：ｄｉｒｅｃｔ  ｒａｍｂｕｓ  ＲＡＭ）など様々な形のＲＡＭを使用することができる。本明細書で説明するシステム及び方法のメモリは、これら及び任意の他の適切なタイプのメモリを含むがこれに限定されないことを意図することに留意されたい。
【０１１８】
当業者は、本明細書で開示された実施例で説明された各例示のユニット及びアルゴリズムステップに合わせて、電子ハードウェア、またはコンピュータソフトウェア及び電子ハードウェアの組み合わせによって実現することができることを理解するであろう。これらの機能がハードウェアで実行されるかソフトウェアで実行されるかは、技術的解決策の特定の応用及び設計の制約条件に依存する。専門技術者は、各特定の応用に対して異なる方法を使用して説明された機能を実現することができるが、このような実現は本出願の範囲を超えると見なされるべきではない。
【０１１９】
当業者は、説明の便宜上及び簡潔さのために、前記説明されたシステム、装置及びユニットの具体的な作業プロセスは、前述の方法の実施例における対応するプロセスを参照することができることを明確に理解することができ、詳細はここでは再度説明しない。
【０１２０】
本出願によって提供されるいくつかの実施例では、開示されたシステム、装置及び方法は、他の方法で実現され得ることを理解されたい。例えば、上記で説明された装置の実施例は単なる例示的であり、例えば、前記ユニットの分割は論理的な機能の分割に過ぎない。実際の実現の際に、例えば、複数のユニットまたはコンポーネントを組み合わせたり、または別のシステムに統合されたり、または一部の特徴は無視するか実行しない等、別の分割方法が存在することができる。加えて、表示または議論される相互結合または直接結合または通信接続は、いくつかのインターフェイス、装置またはユニットを介した間接な結合または通信接続であり得、電気的、機械的または他の形態であり得る。
【０１２１】
前記個別の部品として説明されるユニットは、物理的に分離される場合とされない場合があり、ユニットとして表示される部品は、物理ユニットである場合とそうでない場合がある。即ち、ある場所に位置するか、または複数のネットワークユニットに分散されることもできる。実際のニーズに従って、その中のユニットの一部または全部を選択して本実施例の技術案の目的を実現することができる。
【０１２２】
さらに、本出願の各実施例における各機能ユニットは、１つの処理ユニットに統合されてもよく、各ユニットが物理的に別個に存在してもよく、２つまたは２つ以上のユニットが１つのユニットに統合されてもよい。
【０１２３】
前記機能は、ソフトウェア機能ユニットの形で実装され、独立した製品として販売または使用される場合、１つのコンピュータ読み取り可能な取記憶媒体に記憶することができる。このような理解に基づいて、本出願の技術的解決策は、本質でまたは先行技術に対して貢献のある部分または当該技術の解決策の一部は、ソフトウェア製品の形で具現されることができ、当該コンピュータソフトウェア製品は、１つの記憶媒体に記憶されて、一台のコンピュータ装置（パーソナルコンピュータ、サーバ、またはネットワークデバイスなどであり得る）が本出願の各実施例に記載の方法の全部または一部のステップ実行させるために、いくつかの命令を含む。上記した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々な媒体を含む。
【０１２４】
上記の説明は本出願の具体的な実施形態に過ぎず、本出願の保護範囲はそれに限定せず、当業者が本出願に開示された技術的範囲内で容易に想到し得る変更または置換は、すべて本出願の保護範囲内に含まれるべきある。したがって、本出願の保護範囲は、特許請求の保護範囲を基準とするべきである。
【手続補正２】
【補正対象書類名】特許請求の範囲
【補正対象項目名】全文
【補正方法】変更
【補正の内容】
【特許請求の範囲】
【請求項１】
ｎ個のＵＥ固有検索スペースとｍ個の共通検索スペースを含む少なくとも1つの検索スペースを有する端末機器によって実装される、物理ダウンリンク制御チャネル（ＰＤＣＣＨ）のブラインド検出のための方法であって、
端末機器の少なくとも１つの検索スペースにおけるＰＤＣＣＨのブラインド検出の数がブラインド検出の最大回数より大きい場合、前記端末機器は、前記少なくとも１つの検索スペースに含まれた、ｎ個のＵＥ固有検索スペースにおけるＰＤＣＣＨのブラインド検出の数を削減することであって、削減後の前記少なくとも１つの検索スペースにおけるＰＤＣＣＨのブラインド検出の数が前記ブラインド検出の最大回数より小さいか等しく、ｎ及びｍは０より大きいか等しい整数であり、ｎ及びｍは同時に０ではないことと、
前記端末機器が、削減後の前記少なくとも１つの検索スペースにおけるＰＤＣＣＨのブラインド検出の数に従って、前記少なくとも１つの検索スペースに対してＰＤＣＣＨのブラインド検出を実行することとを含む、前記物理ダウンリンク制御チャネル（ＰＤＣＣＨ）のブラインド検出のための方法。
【請求項２】
前記端末機器が、前記少なくとも１つの検索スペースに含まれた、ｎ個のＵＥ固有検索スペースにおけるＰＤＣＣＨのブラインド検出の数を削減することは、
プリセットのルールに従って、前記ｎ個のＵＥ固有検索スペースにおけるＰＤＣＣＨのブラインド検出の数を削減することを含む、
請求項１に記載の物理ダウンリンク制御チャネルのブラインド検出のための方法。
【請求項３】
前記端末機器が、前記ｍ個の共通検索スペースにおけるＰＤＣＣＨのブラインド検出の数を削減しないことをさらに含み、ｎ及びｍは０より大きい整数である、
請求項１に記載の物理ダウンリンク制御チャネルのブラインド検出のための方法。
【請求項４】
前記プリセットのルールは、
前記ｎ個のＵＥ固有検索スペース内の、インデックス値が大きいＵＥ固有検索スペースにおけるＰＤＣＣＨのブラインド検出の数を優先的に削減することを含む、
請求項２に記載の物理ダウンリンク制御チャネルのブラインド検出のための方法。
【請求項５】
前記プリセットのルールは、
前記ｎ個のＵＥ固有検索スペース内の、インデックス値が小さいＵＥ固有検索スペースにおけるＰＤＣＣＨのブラインド検出の数を優先的に保証することを含む、
請求項２に記載の物理ダウンリンク制御チャネルのブラインド検出のための方法。
【請求項６】
前記プリセットのルールは、
いずれか１つのＵＥ固有検索スペースで、前記端末機器が、低レベルのＰＤＣＣＨ集約レベルに対応するＰＤＣＣＨのブラインド検出の数を優先的に削減することをさらに含む、
請求項４に記載の物理ダウンリンク制御チャネルのブラインド検出のための方法。
【請求項７】
前記プリセットのルールは、具体的に、
第２のプリセットの順番に従って、前記ｎ個のＵＥ固有検索スペース内の異なる検索スペースに対応するＰＤＣＣＨのブラインド検出の数を削減することを含み、前記第２のプリセットの順番は、前記ｎ個のＵＥ固有検索スペースのインデックス値の低い方から高い方への順番である、
請求項６に記載の物理ダウンリンク制御チャネルのブラインド検出のための方法。
【請求項８】
前記方法は、
チャネル推定に必要な制御チャネル要素（ＣＣＥ）の数が前記端末機器によってサポートされるＣＣＥチャネル推定の最大数よりも大きい場合、前記端末機器が、少なくとも1つの検索スペースで、チャネル推定に必要なＣＣＥの数がＣＣＥチャネル推定の最大数より小さいか等しくなるまで、少なくとも1つの検索スペースに含まれるｎ個のＵＥ固有検索スペースにおけるＰＤＣＣＨブラインド検出の数を減すことをさらに含む、
請求項１に記載の物理ダウンリンク制御チャネルのブラインド検出のための方法。
【請求項９】
前記プリセットのルールは、
前記ｎ個のＵＥ固有検索スペースで第２のＵＥ固有検索スペースの第２のＰＤＣＣＨ集約レベルのＰＤＣＣＨのブラインド検出の数を削減した後、前記少なくとも１つの検索スペースにおけるＰＤＣＣＨのブラインド検出の数が前記ブラインド検出の最大回数より小さいか等しい条件を満たす場合、前記端末機器が、前記少なくとも１つの検索スペースにおけるＰＤＣＣＨのブラインド検出の数の削減に対する実行を停止することをさらに含み、前記第２のＵＥ固有検索スペースは前記ｎ個のＵＥ固有検索スペースのいずれか１つのＵＥ固有検索スペースであり、前記第２のＰＤＣＣＨ集約レベルは前記ｎ個のＵＥ固有検索スペースのいずれか１つのＰＤＣＣＨ集約レベルである、
請求項７に記載の物理ダウンリンク制御チャネルのブラインド検出のための方法。
【請求項１０】
前記第２のプリセットの順番は、
同じＵＥ固有検索スペース内でＰＤＣＣＨ集約レベルが低い方から高い方への順番であることをさらに含む、
請求項７または９に記載の物理ダウンリンク制御チャネルのブラインド検出のための方法。
【請求項１１】
ｎ個のＵＥ固有検索スペースとｍ個の共通検索スペースを含む少なくとも1つの検索スペースを有する、端末機器であって、
端末機器の少なくとも１つの検索スペースにおけるＰＤＣＣＨのブラインド検出の数がブラインド検出の最大回数より大きい場合、前記少なくとも１つの検索スペースに含まれた、ｎ個のＵＥ固有検索スペースにおけるＰＤＣＣＨのブラインド検出の数を削減するように構成される処理ユニットであって、削減後の前記少なくとも１つの検索スペースにおけるＰＤＣＣＨのブラインド検出の数が前記ブラインド検出の最大回数より小さいか等しく、ｎ及びｍは０より大きいか等しい整数であり、ｎ及びｍは同時に０ではない処理ユニットと、
削減後の前記少なくとも１つの検索スペースにおけるＰＤＣＣＨのブラインド検出の数に従って、前記少なくとも１つの検索スペースに対してＰＤＣＣＨのブラインド検出を実行するように構成される検出ユニットとを含む、前記端末機器。
【請求項１２】
前記処理ユニットは、具体的に、
プリセットのルールに従って、前記ｎ個のＵＥ固有検索スペースにおけるＰＤＣＣＨのブラインド検出の数を削減するように構成される、
請求項１１に記載の端末機器。
【請求項１３】
前記処理ユニットは、さらに、
前記ｍ個の共通検索スペースにおけるＰＤＣＣＨのブラインド検出の数を削減しないように構成され、ｎ及びｍは０より大きい整数である、
請求項１１に記載の端末機器。
【請求項１４】
前記プリセットのルールは、
前記ｎ個のＵＥ固有検索スペース内の、インデックス値が大きいＵＥ固有検索スペースにおけるＰＤＣＣＨのブラインド検出の数を優先的に削減することを含む、
請求項１２に記載の端末機器。
【請求項１５】
前記プリセットのルールは、
前記ｎ個のＵＥ固有検索スペース内の、インデックス値が小さいＵＥ固有検索スペースにおけるＰＤＣＣＨのブラインド検出の数を優先的に保証することを含む、
請求項１２に記載の端末機器。
【請求項１６】
前記プリセットのルールは、具体的に、
第２のプリセットの順番に従って、前記ｎ個のＵＥ固有検索スペース内の異なる検索スペースに対応するＰＤＣＣＨのブラインド検出の数を削減することを含み、前記第２のプリセットの順番は、前記ｎ個のＵＥ固有検索スペースのインデックス値の低い方から高い方への順番である、
請求項１４に記載の端末機器。
【請求項１７】
チャネル推定に必要な制御チャネル要素（ＣＣＥ）の数が前記端末機器によってサポートされるＣＣＥチャネル推定の最大数よりも大きい場合、前記端末機器が、少なくとも1つの検索スペースで、チャネル推定に必要なＣＣＥの数がＣＣＥチャネル推定の最大数より小さいか等しくなるまで、少なくとも1つの検索スペースに含まれるｎ個のＵＥ固有検索スペースにおけるＰＤＣＣＨブラインド検出の数を減すことをさらに含む、
請求項１１に記載の端末機器。
【請求項１８】
前記プリセットのルールは、
前記ｎ個のＵＥ固有検索スペース内の第３のＰＤＣＣＨ集約レベルに対応するＰＤＣＣＨが占用する時間周波数リソースが、第４のＰＤＣＣＨ集約レベルに対応するＰＤＣＣＨが占用する時間周波数リソースと重複する場合、前記処理ユニットは前記第３のＰＤＣＣＨ集約レベル及び／または前記第４のＰＤＣＣＨ集約レベルに対応するＰＤＣＣＨのブラインド検出の数を０に削減することを含み、
前記第３のＰＤＣＣＨ集約レベルは前記第４のＰＤＣＣＨ集約レベルより低い、
請求項１２に記載の端末機器。
【請求項１９】
前記端末機器は、
ネットワーク機器によって送信された第２の指示情報を受信するように構成される受信ユニットであって、前記第２の指示情報は、前記第３のＰＤＣＣＨ集約レベル及び／または前記第４のＰＤＣＣＨ集約レベルに対応するＰＤＣＣＨのブラインド検出の数を０に削減することをさらに含む、
請求項１８に記載の端末機器。
【手続補正３】
【補正対象書類名】図面
【補正対象項目名】図１
【補正方法】変更
【補正の内容】
【図１】
2021517757.tif 000009
【国際調査報告】
2021517757.tif 000010
2021517757.tif 000011
2021517757.tif 000012
2021517757.tif 000013